(57)【要約】  無線通信システムにおいて装置の動作方法及び前記方法を利用する装置を提供する。前記方法は、帯域幅部分（ｂａｎｄｗｉｄｔｈ  ｐａｒｔ：ＢＷＰ）の変更を指示するダウンリンク制御情報（ｄｏｗｎｌｉｎｋ  ｃｏｎｔｒｏｌ  ｉｎｆｏｒｍａｔｉｏｎ：ＤＣＩ）を検出し、前記ＤＣＩに基づいて第１帯域幅部分から第２帯域幅部分に帯域幅部分を変更するものの、前記ＤＣＩによりスケジューリングされるスロットから前記第２帯域幅部分を適用することを特徴とする。
2020526988.tif 000002
【特許請求の範囲】
【請求項１】
無線通信システムにおける端末の動作方法であって、
帯域幅部分（ｂａｎｄｗｉｄｔｈ  ｐａｒｔ：ＢＷＰ）の変更を指示するダウンリンク制御情報（ｄｏｗｎｌｉｎｋ  ｃｏｎｔｒｏｌ  ｉｎｆｏｒｍａｔｉｏｎ：ＤＣＩ）を検出し、
前記ＤＣＩに基づいて第１帯域幅部分から第２帯域幅部分に帯域幅部分を変更するものの、
前記ＤＣＩによりスケジューリングされるスロットから前記第２帯域幅部分を適用することを特徴とする、方法。
【請求項２】
前記ＤＣＩは、ダウンリンク帯域幅部分変更又はアップリンク帯域幅部分変更を知らせることを特徴とする、請求項１に記載の方法。
【請求項３】
前記端末は、前記ＤＣＩによりスケジューリングされるスロットの開始前まで信号を送信するか、又は、受信しないことを特徴とする、請求項１に記載の方法。
【請求項４】
前記ＤＣＩを受信した時点において、前記ＤＣＩによりスケジューリングされるＰＤＳＣＨ又はＰＵＳＣＨを受信する時点まで、デフォルト帯域幅部分に戻ることと関連したタイマ値を維持させることを特徴とする、請求項１に記載の方法。
【請求項５】
第１帯域幅部分から第２帯域幅部分は同一のセルに関連した帯域幅部分であることを特徴とする、請求項１に記載の方法。
【請求項６】
前記ＤＣＩは、時間領域において複数のシンボルを含むスロット内で一部のシンボルを介して受信されることを特徴とする、請求項１に記載の方法。
【請求項７】
装置であって、
無線信号を送信及び受信するトランシーバ（ｔｒａｎｓｃｅｉｖｅｒ）と、
前記トランシーバと結合して動作するプロセサとを備えてなり、
前記プロセサは、帯域幅部分（ｂａｎｄｗｉｄｔｈ  ｐａｒｔ：ＢＷＰ）の変更を指示するダウンリンク制御情報（ｄｏｗｎｌｉｎｋ  ｃｏｎｔｒｏｌ  ｉｎｆｏｒｍａｔｉｏｎ：ＤＣＩ）を検出し、
前記ＤＣＩに基づいて第１帯域幅部分から第２帯域幅部分に帯域幅部分を変更するものの、
前記ＤＣＩによりスケジューリングされるスロットから前記第２帯域幅部分を適用することを特徴とする、装置。
【請求項８】
前記ＤＣＩは、ダウンリンク帯域幅部分変更又はアップリンク帯域幅部分変更を知らせることを特徴とする、請求項７に記載の装置。
【請求項９】
前記端末は、前記ＤＣＩによりスケジューリングされるスロットの開始前まで信号を送信するか、受信しないことを特徴とする、請求項７に記載の装置。
【請求項１０】
前記ＤＣＩを受信した時点から前記ＤＣＩによりスケジューリングされるＰＤＳＣＨ又はＰＵＳＣＨを受信する時点まで、デフォルト帯域幅部分に戻ることと関連したタイマ値を維持させることを特徴とする、請求項７に記載の装置。
【請求項１１】
第１帯域幅部分から第２帯域幅部分は同一のセルに関連した帯域幅部分であることを特徴とする、請求項７に記載の装置。
【請求項１２】
装置であって、
無線信号を送信及び受信するトランシーバと、
前記トランシーバと結合して動作するプロセサとを備えてなり、
前記プロセサは、
帯域幅部分（ｂａｎｄｗｉｄｔｈ  ｐａｒｔ：ＢＷＰ）変更を指示するダウンリンク制御情報（ｄｏｗｎｌｉｎｋ  ｃｏｎｔｒｏｌ  ｉｎｆｏｒｍａｔｉｏｎ：ＤＣＩ）を送信し、
前記ＤＣＩに基づいて変更された帯域幅部分を介して端末と通信するものの、
前記ＤＣＩによりスケジューリングされるスロットから前記変更された帯域幅部分を適用することを特徴とする、装置。
【請求項１３】
前記ＤＣＩは、ダウンリンク帯域幅部分変更又はアップリンク帯域幅部分変更を知らせることを特徴とする、請求項１２に記載の装置。
【請求項１４】
第１帯域幅部分から第２帯域幅部分は同一のセルに関連された帯域幅部分であることを特徴とする、請求項１２記載の装置。
【発明の詳細な説明】
【技術分野】
【０００１】
本発明は、無線通信に関し、より詳しくは、無線通信システムにおける端末の動作方法及びこの方法を利用する装置に関する。
【背景技術】
【０００２】
より多くの通信機器がより大きい通信容量を要求するにつれて、既存の無線接続技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭されている。また、多数の機器及びモノを連結していつでもどこでも多様なサービスを提供するマッシブＭＴＣ（ｍａｓｓｉｖｅ  Ｍａｃｈｉｎｅ  Ｔｙｐｅ  Ｃｏｍｍｕｎｉｃａｔｉｏｎｓ）も次世代通信で考慮される主要案件のうち一つである。
【０００３】
信頼度（ｒｅｌｉａｂｉｌｉｔｙ）及び遅延（ｌａｔｅｎｃｙ）に敏感なサービスまたは端末を考慮した通信システムも論議されており、改善されたモバイルブロードバンド通信、マッシブＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代無線接続技術を新しいＲＡＴ（ｒａｄｉｏ  ａｃｃｅｓｓ  ｔｅｃｈｎｏｌｏｇｙ）またはＮＲ（ｎｅｗ  ｒａｄｉｏ）と呼ぶ。
【０００４】
ＮＲのような将来の無線通信システムにおいては、帯域幅部分（ｂａｎｄｗｉｄｔｈ  ｐａｒｔ：ＢＷＰ）を導入することができる。広帯域を使用する無線通信システムにおいて、前記広帯域をサポートすることが困難である端末のために一部の帯域を割り当てるために、帯域幅部分を使用することができる。
【０００５】
帯域幅部分（ｂａｎｄｗｉｄｔｈ  ｐａｒｔ）の設定及び管理方法とそれを活用してデータを送受信する方法などを規定する必要がある。例えば、活性化された帯域幅部分を変更する場合、変更された帯域幅部分を適用する時点と関連した端末動作を規定する必要がある。また、データチャネルをスケジューリングするダウンリンク制御情報を受信した後から前記データチャネルに対するＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）を送信する前の時間区間において（アップリンク）帯域幅部分の変更が発生する場合、どのような方式で端末が動作すべきであるかも規定する必要がある。
【発明の概要】
【発明が解決しようとする課題】
【０００６】
本発明が解決しようとする技術的課題は、無線通信システムにおいて帯域幅部分変更と関連した端末の動作方法及びこれを利用する装置を提供することである。
【課題を解決するための手段】
【０００７】
一側面において、無線通信システムにおける端末の動作方法を提供する。前記方法は、帯域幅部分（ｂａｎｄｗｉｄｔｈ  ｐａｒｔ：ＢＷＰ）の変更を指示するダウンリンク制御情報（ｄｏｗｎｌｉｎｋ  ｃｏｎｔｒｏｌ  ｉｎｆｏｒｍａｔｉｏｎ：ＤＣＩ）を検出し、前記ＤＣＩに基づいて第１帯域幅部分から第２帯域幅部分に帯域幅部分を変更するものの、前記ＤＣＩによりスケジューリングされるスロットから前記第２帯域幅部分を適用することを特徴とする。
【０００８】
前記ＤＣＩは、ダウンリンク帯域幅部分変更又はアップリンク帯域幅部分変更を知らせるものであり得る。
【０００９】
前記端末は、前記ＤＣＩによりスケジューリングされるスロットの開始前まで信号を送信するか受信しなくてもよい。
【００１０】
前記ＤＣＩを受信した時点から前記ＤＣＩによりスケジューリングされるＰＤＳＣＨ又はＰＵＳＣＨを受信する時点まで、デフォルト帯域幅部分に戻ることと関連したタイマ値を維持させることができる。
【００１１】
第１帯域幅部分から第２帯域幅部分は、同一のセルに関連された帯域幅部分であり得る。
【００１２】
前記ＤＣＩは、時間領域において複数のシンボルを含むスロット内で一部のシンボルを介して受信できる。
【００１３】
他の側面において提供される装置は、無線信号を送信及び受信するトランシーバ（ｔｒａｎｓｃｅｉｖｅｒ）と、前記トランシーバと結合して動作するプロセッサとを含むものの、前記プロセッサは、帯域幅部分（ｂａｎｄｗｉｄｔｈ  ｐａｒｔ：ＢＷＰ）の変更を指示するダウンリンク制御情報（ｄｏｗｎｌｉｎｋ  ｃｏｎｔｒｏｌ  ｉｎｆｏｒｍａｔｉｏｎ：ＤＣＩ）を検出し、前記ＤＣＩに基づいて第１帯域幅部分から第２帯域幅部分に帯域幅部分を変更するものの、前記ＤＣＩによりスケジューリングされるスロットから前記第２帯域幅部分を適用することを特徴とする。
【００１４】
また他の側面において提供される装置は、無線信号を送信及び受信するトランシーバ（ｔｒａｎｓｃｅｉｖｅｒ）と、前記トランシーバと結合して動作するプロセサとを含むものの、前記プロセサは、帯域幅部分（ｂａｎｄｗｉｄｔｈ  ｐａｒｔ：ＢＷＰ）の変更を指示するダウンリンク制御情報（ｄｏｗｎｌｉｎｋ  ｃｏｎｔｒｏｌ  ｉｎｆｏｒｍａｔｉｏｎ：ＤＣＩ）を送信し、前記ＤＣＩに基づいて変更された帯域幅部分を介して端末と通信するものの、前記ＤＣＩによりスケジューリングされるスロットから前記変更された帯域幅部分を提供することを特徴とする。
【発明の効果】
【００１５】
本発明によると、帯域幅部分が変更される様々な状況において、端末が具体的にどのような動作をすべきであるかを明確に規定している。例えば、活性化ダウンリンク帯域幅部分の変更を指示するダウンリンク制御情報を受信した場合、端末は、前記ダウンリンク制御情報によりスケジューリングされるダウンリンクデータチャネルが受信されるスロットから変更されたダウンリンク帯域幅を適用することができる。また、データチャネルをスケジューリングするダウンリンク制御情報を受信した後から前記データチャネルに対するＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）を送信する前の時間区間において（アップリンク）帯域幅部分の変更が発生した場合、前記ダウンリンク制御情報により指示されたリソースによるＡＣＫ／ＮＡＣＫ送信は行わなくてもよい。このような端末動作の明確な規定により、基地局と端末間の曖昧性が低下し、不要な信号送信による干渉の発生も防止することができる。
【図面の簡単な説明】
【００１６】
【図１】既存無線通信システムを例示する。
【図２】ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。
【図３】制御平面（ｃｏｎｔｒｏｌ  ｐｌａｎｅ）に対する無線プロトコル構造を示すブロック図である。
【図４】ＮＲが適用される次世代無線接続ネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【図５】ＮＲで適用されることができるフレーム構造を例示する。
【図６】ＣＯＲＥＳＥＴを例示する。
【図７】従来の制御領域とＮＲでのＣＯＲＥＳＥＴの相違点を示す。
【図８】ＮＲで新しく導入された搬送波帯域部分（ｃａｒｒｉｅｒ  ｂａｎｄｗｉｄｔｈ  ｐａｒｔ）を例示する。
【図９】１つの搬送波内でＢＷＰが動的に活性化される場合を例示する。
【図１０】本発明の一実施形態によるＨＡＲＱの動作方法を示す。
【図１１】動的ＢＷＰスイッチング時の端末の動作方法を例示する。
【図１２】ＢＷＰ変更を適用する例を示す。
【図１３】ＢＷＰ変更と関連したタイマ動作を例示する。
【図１４】本発明を実行する送信装置１０及び受信装置２０の構成要素を示すブロック図である。
【図１５】送信装置１０内の信号処理モジュール構造の一例を示す図である。
【図１６】送信装置１０内の信号処理モジュール構造の他の例を示す図である。
【図１７】本発明の実現例による無線通信装置の一例を示す図である。
【図１８】本発明の一実施形態によるＨＡＲＱの動作方法を示す。
【図１９】動的ＢＷＰスイッチングのとき、基地局と端末の動作方法を例示する。
【発明を実施するための形態】
【００１７】
図１は、既存無線通信システムを例示する。これはＥ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ−Ａシステムとも呼ばれる。
【００１８】
Ｅ−ＵＴＲＡＮは、端末（Ｕｓｅｒ  Ｅｑｕｉｐｍｅｎｔ、ＵＥ）１０に制御平面（ｃｏｎｔｒｏｌ  ｐｌａｎｅ）とユーザ平面（ｕｓｅｒ  ｐｌａｎｅ）を提供する基地局（Ｂａｓｅ  Ｓｔａｔｉｏｎ、ＢＳ）２０を含む。端末１０は、固定されてもよいし、移動性を有してもよく、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることもある。基地局２０は、端末１０と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００１９】
基地局２０は、Ｘ２インターフェースを介して互いに連結されることができる。基地局２０は、Ｓ１インターフェースを介してＥＰＣ（Ｅｖｏｌｖｅｄ  Ｐａｃｋｅｔ  Ｃｏｒｅ）３０、より詳しくは、Ｓ１−ＭＭＥを介してＭＭＥ（Ｍｏｂｉｌｉｔｙ  Ｍａｎａｇｅｍｅｎｔ  Ｅｎｔｉｔｙ）と連結され、Ｓ１−Ｕを介してＳ−ＧＷ（Ｓｅｒｖｉｎｇ  Ｇａｔｅｗａｙ）と連結される。
【００２０】
ＥＰＣ３０は、ＭＭＥ、Ｓ−ＧＷ及びＰ−ＧＷ（Ｐａｃｋｅｔ  Ｄａｔａ  Ｎｅｔｗｏｒｋ−Ｇａｔｅｗａｙ）で構成される。ＭＭＥは、端末の接続情報や端末の能力に対する情報を有しており、このような情報は、端末の移動性管理に主に使われる。Ｓ−ＧＷは、Ｅ−ＵＴＲＡＮを終端点として有するゲートウェイであり、Ｐ−ＧＷは、ＰＤＮを終端点として有するゲートウェイである。
【００２１】
端末とネットワークとの間の無線インターフェースプロトコル（Ｒａｄｉｏ  Ｉｎｔｅｒｆａｃｅ  Ｐｒｏｔｏｃｏｌ）の階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１の階層）、Ｌ２（第２の階層）、Ｌ３（第３の階層）に区分されることができ、そのうち、第１の階層に属する物理階層は、物理チャネル（Ｐｈｙｓｉｃａｌ  Ｃｈａｎｎｅｌ）を利用した情報転送サービス（Ｉｎｆｏｒｍａｔｉｏｎ  Ｔｒａｎｓｆｅｒ  Ｓｅｒｖｉｃｅ）を提供し、第３の階層に位置するＲＲＣ（Ｒａｄｉｏ  Ｒｅｓｏｕｒｃｅ  Ｃｏｎｔｒｏｌ）階層は、端末とネットワークとの間に無線リソースを制御する役割を遂行する。そのために、ＲＲＣ階層は、端末と基地局との間のＲＲＣメッセージを交換する。
【００２２】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示すブロック図である。図３は、制御平面（ｃｏｎｔｒｏｌ  ｐｌａｎｅ）に対する無線プロトコル構造を示すブロック図である。ユーザ平面は、ユーザデータ送信のためのプロトコルスタック（ｐｒｏｔｏｃｏｌ ｓｔａｃｋ）であり、制御平面は、制御信号送信のためのプロトコルスタックである。
【００２３】
図2及び図3を参照すると、物理階層（ＰＨＹ（ｐｈｙｓｉｃａｌ）  ｌａｙｅｒ）は、物理チャネル（ｐｈｙｓｉｃａｌ  ｃｈａｎｎｅｌ）を利用して上位階層に情報転送サービス（ｉｎｆｏｒｍａｔｉｏｎ  ｔｒａｎｓｆｅｒ  ｓｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とはトランスポートチャネル（ｔｒａｎｓｐｏｒｔ  ｃｈａｎｎｅｌ）を介して連結されている。トランスポートチャネルを介してＭＡＣ階層と物理階層との間にデータが移動する。トランスポートチャネルは、無線インターフェースを介して、データが、どのように、どのような特徴にトランスポートされるかによって分類される。
【００２４】
互いに異なる物理階層間、即ち、送信機と受信機の物理階層間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式に変調されることができ、時間と周波数を無線リソースとして活用する。
【００２５】
ＭＡＣ階層の機能は、論理チャネルとトランスポートチャネルとの間のマッピング、及び論理チャネルに属するＭＡＣ  ＳＤＵ（ｓｅｒｖｉｃｅ  ｄａｔａ  ｕｎｉｔ）のトランスポートチャネル上に物理チャネルで提供されるトランスポートブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００２６】
ＲＬＣ階層の機能は、ＲＬＣ  ＳＤＵの連結（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラ（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の三つの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００２７】
ＲＲＣ（Ｒａｄｉｏ  Ｒｅｓｏｕｒｃｅ  Ｃｏｎｔｒｏｌ）階層は、制御平面でのみ定義される。ＲＲＣ階層は、無線ベアラの設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）と関連して論理チャネル、トランスポートチャネル及び物理チャネルの制御を担当する。ＲＢは、端末とネットワークとの間のデータ伝達のために、第１の階層（ＰＨＹ階層）及び第２の階層（ＭＡＣ階層、ＲＬＣ階層、ＰＤＣＰ階層）により提供される論理的経路を意味する。
【００２８】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／完全性保護（ｉｎｔｅｇｒｉｔｙ  ｐｒｏｔｅｃｔｉｏｎ）を含む。
【００２９】
ＲＢが設定されるとは、特定サービスを提供するために、無線プロトコル階層及びチャネルの特性を規定し、それぞれの具体的なパラメータ及び動作方法を設定する過程を意味する。また、ＲＢは、ＳＲＢ（Ｓｉｇｎａｌｉｎｇ  ＲＢ）とＤＲＢ（Ｄａｔａ  ＲＢ）の二つに分けられる。ＳＲＢは、制御平面でＲＲＣメッセージを送信する通路として使われ、ＤＲＢは、ユーザ平面でユーザデータを送信する通路として使われる。
【００３０】
端末のＲＲＣ階層とＥ−ＵＴＲＡＮのＲＲＣ階層との間にＲＲＣ接続（ＲＲＣ  Ｃｏｎｎｅｃｔｉｏｎ）が確立される場合、端末は、ＲＲＣ接続（ＲＲＣ  ｃｏｎｎｅｃｔｅｄ）状態になり、そうでない場合、ＲＲＣアイドル（ＲＲＣ  ｉｄｌｅ）状態になる。
【００３１】
ネットワークから端末にデータを送信するダウンリンクトランスポートチャネルには、システム情報を送信するＢＣＨ（Ｂｒｏａｄｃａｓｔ  Ｃｈａｎｎｅｌ）と、ユーザトラフィックや制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別途のダウンリンクＭＣＨ（Ｍｕｌｔｉｃａｓｔ  Ｃｈａｎｎｅｌ）を介して送信されることもできる。一方、端末からネットワークにデータを送信するアップリンクトランスポートチャネルとしては、初期制御メッセージを送信するＲＡＣＨ（Ｒａｎｄｏｍ  Ａｃｃｅｓｓ  Ｃｈａｎｎｅｌ）と、ユーザトラフィックや制御メッセージを送信するアップリンクＳＣＨ（Ｓｈａｒｅｄ  Ｃｈａｎｎｅｌ）がある。
【００３２】
トランスポートチャネル上位にあり、トランスポートチャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００３３】
物理チャネル（Ｐｈｙｓｉｃａｌ  Ｃｈａｎｎｅｌ）は、時間領域で複数個のＯＦＤＭシンボルと周波数領域で複数個の副搬送波（Ｓｕｂ−ｃａｒｒｉｅｒ）とで構成される。一つのサブフレーム（Ｓｕｂ−ｆｒａｍｅ）は、時間領域で複数のＯＦＤＭシンボル（Ｓｙｍｂｏｌ）で構成される。リソースブロックは、リソース割当単位であり、複数のＯＦＤＭシンボルと複数の副搬送波（ｓｕｂ−ｃａｒｒｉｅｒ）とで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、即ち、Ｌ１／Ｌ２制御チャネルのために、該当サブフレームの特定ＯＦＤＭシンボル（例えば、１番目のＯＦＤＭシンボル）の特定副搬送波を利用することができる。ＴＴＩ（Ｔｒａｎｓｍｉｓｓｉｏｎ  Ｔｉｍｅ  Ｉｎｔｅｒｖａｌ）は、サブフレーム送信の単位時間である。
【００３４】
以下、新しい無線接続技術（ｎｅｗ  ｒａｄｉｏ  ａｃｃｅｓｓ  ｔｅｃｈｎｏｌｏｇｙ；ｎｅｗ  ＲＡＴ）またはＮＲ（ｎｅｗ  ｒａｄｉｏ）に対して説明する。
【００３５】
より多くの通信機器がより大きい通信容量を要求するにつれて、既存の無線接続技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭されている。また、多数の機器及びモノを連結していつでもどこでも多様なサービスを提供するマッシブＭＴＣ（ｍａｓｓｉｖｅ  Ｍａｃｈｉｎｅ  Ｔｙｐｅ  Ｃｏｍｍｕｎｉｃａｔｉｏｎｓ）も次世代通信で考慮される主要案件のうち一つである。それだけでなく、信頼度（ｒｅｌｉａｂｉｌｉｔｙ）及び遅延（ｌａｔｅｎｃｙ）に敏感なサービス／端末を考慮した通信システムデザインが論議されている。このように拡張されたモバイルブロードバンドコミュニケーション（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代無線接続技術の導入が論議されており、本発明では該当技術（ｔｅｃｈｎｏｌｏｇｙ）を便宜上ｎｅｗ  ＲＡＴまたはＮＲと呼ぶ。
【００３６】
図４は、ＮＲが適用される次世代無線接続ネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【００３７】
図４を参照すると、ＮＧ−ＲＡＮは、端末にユーザ平面及び制御平面プロトコル終端（ｔｅｒｍｉｎａｔｉｏｎ）を提供するｇＮＢ及び／またはｅＮＢを含むことができる。図４では、ｇＮＢのみを含む場合を例示する。ｇＮＢ及びｅＮＢは、相互間にＸｎインターフェースを介して連結されている。ｇＮＢ及びｅＮＢは、５世代コアネットワーク（５Ｇ  Ｃｏｒｅ  Ｎｅｔｗｏｒｋ：５ＧＣ）とＮＧインターフェースを介して連結されている。より具体的に、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）とはＮＧ−Ｃインターフェースを介して連結され、ＵＰＦ（ｕｓｅｒ  ｐｌａｎｅ  ｆｕｎｃｔｉｏｎ）とはＮＧ−Ｕインターフェースを介して連結される。
【００３８】
ｇＮＢは、インターセル間の無線リソース管理（Ｉｎｔｅｒ  Ｃｅｌｌ  ＲＲＭ）、無線ベアラ管理（ＲＢ  ｃｏｎｔｒｏｌ）、接続移動性制御（Ｃｏｎｎｅｃｔｉｏｎ  Ｍｏｂｉｌｉｔｙ  Ｃｏｎｔｒｏｌ）、無線許容制御（Ｒａｄｉｏ  Ａｄｍｉｓｓｉｏｎ  Ｃｏｎｔｒｏｌ）、測定設定及び提供（Ｍｅａｓｕｒｅｍｅｎｔ  ｃｏｎｆｉｇｕｒａｔｉｏｎ＆Ｐｒｏｖｉｓｉｏｎ）、動的リソース割当（ｄｙｎａｍｉｃ  ｒｅｓｏｕｒｃｅ  ａｌｌｏｃａｔｉｏｎ）などの機能を提供することができる。ＡＭＦは、ＮＡＳセキュリティ、アイドル状態移動性処理などの機能を提供することができる。ＵＰＦは、移動性アンカリング（Ｍｏｂｉｌｉｔｙ  Ａｎｃｈｏｒｉｎｇ）、ＰＤＵ処理などの機能を提供することができる。
【００３９】
図５は、ＮＲで適用されることができるフレーム構造を例示する。
【００４０】
図５に示すように、フレームは１０ｍｓ（ｍｉｌｌｉｓｅｃｏｎｄ）で構成され、１ｍｓで構成されたサブフレーム１０個を含むことができる。時間領域の様々なフィールドは、時間単位Ｔc＝１／(ΔｆmaxＮf)により表すことができる。ここで、 Δｆmax＝４８０・１０3Ｈｚ、Ｎf＝４０９６であり得る。
【００４１】
搬送波にはアップリンクに１つのフレームの集合があり、ダウンリンクに１つのフレームの集合があり得る。アップリンクフレームｉの送信は、対応するダウンリンクフレームｉの開始よりＴTA＝（ＮTA＋ＮTA,offset）Ｔcの分だけ先に開始することができる。
【００４２】
サブフレーム内には副搬送波間隔（ｓｕｂｃａｒｒｉｅｒ  ｓｐａｃｉｎｇ）によって一つまたは複数のスロット（ｓｌｏｔ）が含まれることができる。
【００４３】
以下の表は、副搬送波間隔設定（ｓｕｂｃａｒｒｉｅｒ  ｓｐａｃｉｎｇ  ｃｏｎｆｉｇｕｒａｔｉｏｎ）μを例示する。
【００４４】
【表１】
2020526988.tif 000003
【００４５】
次の表２−１は，ノーマルＣＰ（ｃｙｃｌｉｃ  ｐｒｅｆｉｘ）において副搬送波間隔設定（ｓｕｂｃａｒｒｉｅｒ  ｓｐａｃｉｎｇ  ｃｏｎｆｉｇｕｒａｔｉｏｎ）μに応じて、フレーム内のスロット数（Ｎframe,μslot）、サブフレーム内のスロット数（Ｎsubframe,μslot）、スロット内のシンボル数（Ｎslotsymb）などを例示する。表２−２は、拡張ＣＰにおいて副搬送波の間隔設定（ｓｕｂｃａｒｒｉｅｒ  ｓｐａｃｉｎｇ  ｃｏｎｆｉｇｕｒａｔｉｏｎ）μに応じて、フレーム内のスロット数（Ｎslotsymb）、サブフレーム内のスロット数（Ｎsubframe,μslot）、スロット内のシンボル数（Ｎslotsymb）などを例示する。
【００４６】
【表２】
2020526988.tif 000004
【００４７】
図５では、μ＝０、１、２に対して例示している。
【００４８】
スロット内には複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルが含まれることができる。スロット内の複数のＯＦＤＭシンボルは、ダウンリンク（ｄｏｗｎｌｉｎｋ、Ｄで表示）、フレキシブル（ｆｌｅｘｉｂｌｅ、Ｘで表示）、アップリンク（ｕｐｌｉｎｋ、Ｕで表示）に区分されることができる。スロット内のＯＦＤＭシンボルが前記Ｄ、Ｘ、Ｕのうちいずれのもので構成されるかによって前記スロットのフォーマット（ｆｏｒｍａｔ）が決定されることができる。
【００４９】
以下の表は、スロットフォーマットの一例を示す。
【００５０】
【表３】
2020526988.tif 000005
2020526988.tif 000006
【００５１】
端末は、上位階層信号を介してスロットのフォーマットの設定を受けたり、ＤＣＩを介してスロットのフォーマットの設定を受けたり、上位階層信号及びＤＣＩの組合せに基づいてスロットのフォーマットの設定を受けたりすることができる。
【００５２】
アンテナポートは、アンテナポート上のシンボルが運ばれるチャネルが、同一のアンテナポート上の他のシンボルが運ばれるチャネルから推論できるように定義される。１つのアンテナポート上のシンボルが伝達されるチャネルの大規模特性が他のアンテナポート上のシンボルが伝達されるチャネルから推論できると、前記２つのアンテナポートは疑似同位置（ｑｕａｓｉ  ｃｏ−ｌｏｃａｔｅｄ）にあると言われる。前記大規模特性は、遅延拡散（ｄｅｌａｙ  ｓｐｒｅａｄ）、ドップラー拡散（Ｄｏｐｐｌｅｒ  ｓｐｒｅａｄ）、ドップラーシフト（Ｄｏｐｐｌｅｒ  ｓｈｉｆｔ）、平均利得（ａｖｅｒａｇｅ  ｇａｉｎ）、平均遅延（ａｖｅｒａｇｅ  ｄｅｌａｙ）及び空間Ｒｘパラメータ（ｓｐａｔｉａｌ  Ｒｘ  ｐａｒａｍｅｔｅｒｓ）のうち少なくとも１つ以上を含むことができる。
【００５３】
リソースグリッド（ｒｅｓｏｕｒｃｅ  ｇｒｉｄ）は、各ヌメロロジー及び搬送波に対して、特定個数の副搬送波及びＯＦＤＭシンボルを含むように定義され、上位層シグナリングにより指示された共通リソースブロックから開始される。
【００５４】
リソース要素（ｒｅｓｏｕｒｃｅ  ｅｌｅｍｅｎｔ：ＲＥ）は、アンテナポート及び副搬送波間隔設定に対するリソースグリッドの各要素をリソース要素といい、複素値（ｃｏｍｐｌｅｘ  ｖａｌｕｅ）に対応できる。
【００５５】
リソースブロック（ｒｅｓｏｕｒｃｅ  ｂｌｏｃｋ：ＲＢ）は、周波数領域において連続的な副搬送波（例えば、１２個）として定義されることができる。基準リソースブロック（ｒｅｆｅｒｅｎｃｅ  ｒｅｓｏｕｒｃｅ  ｂｌｏｃｋ）は、周波数領域において０から上にナンバリングされ得る。基準リソースブロック０の副搬送波０は「基準点Ａ」とも表示され、全ての副搬送波の間隔設定に共通する。また、他のリソースブロックグリッドに対する共通参照点（ｒｅｆｅｒｅｎｃｅ  ｐｏｉｎｔ）として使用でき、基準点Ａは上位層パラメータから得られる。
【００５６】
共通リソースブロック（ｃｏｍｍｏｎ  ｒｅｓｏｕｒｃｅ  ｂｌｏｃｋ）は、副搬送波の間隔設定のために周波数領域において０から上にナンバリングされ得る。副搬送波の間隔設定のための共通リソースブロック０の副搬送波０は、前記「基準点Ａ」と一致することがある。
【００５７】
物理的リソースブロック（ｐｈｙｓｉｃａｌ  ｒｅｓｏｕｒｃｅ  ｂｌｏｃｋ）及び仮想リソースブロック（ｖｉｒｔｕａｌ  ｒｅｓｏｕｒｃｅ  ｂｌｏｃｋ）は、搬送波帯域幅部分内に定義され、０から上にナンバリングされ得る。
【００５８】
搬送波集成（ｃａｒｒｉｅｒ  ａｇｇｒｅｇａｔｉｏｎ）によると、プライマリセル以外に１５個までのセカンダリセルを集成して使用することができる。すなわち、端末には最大１６個のサービングセルが集成されることができる。
【００５９】
ＰＤＣＣＨ（ｐｈｙｓｉｃａｌ  ｄｏｗｎｌｉｎｋ  ｃｏｎｔｒｏｌ  ｃｈａｎｎｅｌ）は、以下の表のように一つまたはそれ以上のＣＣＥ（ｃｏｎｔｒｏｌ  ｃｈａｎｎｅｌ  ｅｌｅｍｅｎｔ）で構成されることができる。
【００６０】
【表４】
2020526988.tif 000007
【００６１】
即ち、ＰＤＣＣＨは、１、２、４、８または１６個のＣＣＥで構成されるリソースを介して送信されることができる。ここで、ＣＣＥは、６個のＲＥＧ（ｒｅｓｏｕｒｃｅ  ｅｌｅｍｅｎｔ  ｇｒｏｕｐ）で構成され、一つのＲＥＧは、周波数領域で一つのリソースブロック、時間領域で一つのＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルで構成される。
【００６２】
一方、将来の無線通信システムでは、制御リソースセット（ｃｏｎｔｒｏｌ  ｒｅｓｏｕｒｃｅ  ｓｅｔ：ＣＯＲＥＳＥＴ）という新しい単位を導入することができる。端末は、ＣＯＲＥＳＥＴでＰＤＣＣＨを受信することができる。
【００６３】
図６は、ＣＯＲＥＳＥＴを例示する。
【００６４】
図６を参照すると、ＣＯＲＥＳＥＴは、周波数領域でＮCORESETRB個のリソースブロックで構成され、時間領域でＮCORESETsymb∈｛１、２、３｝個のシンボルで構成されることができる。ＮCORESETRB、ＮCORESETsymbは、上位階層信号を介して基地局により提供されることができる。図６に示すように、ＣＯＲＥＳＥＴ内には複数のＣＣＥ（または、ＲＥＧ）が含まれることができる。
【００６５】
端末は、ＣＯＲＥＳＥＴ内で、１、２、４、８または１６個のＣＣＥを単位でＰＤＣＣＨ検出を試みることができる。ＰＤＣＣＨ検出を試みることができる一つまたは複数個のＣＣＥをＰＤＣＣＨ候補ということができる。
【００６６】
端末は、複数のＣＯＲＥＳＥＴの設定を受けることができる。
【００６７】
図７は、従来の制御領域とＮＲでのＣＯＲＥＳＥＴの相違点を示す。
【００６８】
図７を参照すると、従来の無線通信システム（例えば、ＬＴＥ／ＬＴＥ−Ａ）での制御領域３００は、基地局が使用するシステム帯域全体にわたって構成された。狭い帯域のみをサポートする一部端末（例えば、ｅＭＴＣ／ＮＢ−ＩｏＴ端末）を除外した全ての端末は、基地局が送信する制御情報を正確に受信／デコーディングするためには前記基地局のシステム帯域全体の無線信号が受信可能でなければならない。
【００６９】
それに対して、将来の無線通信システムでは、前述したＣＯＲＥＳＥＴを導入した。ＣＯＲＥＳＥＴ３０１、３０２、３０３は、端末が受信すべき制御情報のための無線リソースということができ、システム帯域全体の代わりに一部のみを使用することができる。基地局は、各端末にＣＯＲＥＳＥＴを割り当てることができ、割り当てたＣＯＲＥＳＥＴを介して制御情報を送信することができる。例えば、図7において、第１のＣＯＲＥＳＥＴ３０１は端末１に割り当て、第２のＣＯＲＥＳＥＴ３０２は端末２に割り当て、第３のＣＯＲＥＳＥＴ３０３は端末３に割り当てることができる。ＮＲでの端末は、システム帯域全体を必ず受信しなくても基地局の制御情報を受信することができる。
【００７０】
ＣＯＲＥＳＥＴには、端末特定的な制御情報を送信するための端末特定的なＣＯＲＥＳＥＴと全ての端末に共通的な制御情報を送信するための共通的なＣＯＲＥＳＥＴがある。
【００７１】
図８は、ＮＲにおいて新たに導入された搬送波帯域幅部分（ｃａｒｒｉｅｒ ｂａｎｄｗｉｄｔｈ  ｐａｒｔ）を例示する。
【００７２】
図８に示すように、搬送波帯域幅部分は、簡単に帯域幅部分（ｂａｎｄｗｉｄｔｈ  ｐａｒｔ：ＢＷＰ）と略称してもよい。前述したように、将来の無線通信システムにおいては、同一の搬送波に対して多様なヌメロロジー（ｎｕｍｅｒｏｌｏｇｙ）（例えば、多様な副搬送波間隔）がサポートされることができる。ＮＲは、与えられた搬送波において与えられたヌメロロジーに対して共通リソースブロック（ｃｏｍｍｏｎ  ｒｅｓｏｕｒｃｅ  ｂｌｏｃｋ：ＣＲＢ）を定義することができる。
【００７３】
帯域幅部分は、与えられた搬送波において与えられたヌメロロジーに対する共通リソースブロック（ｃｏｍｍｏｎ  ｒｅｓｏｕｒｃｅ  ｂｌｏｃｋ：ＣＲＢ）の連続的な部分集合のうち選択された連続した物理的リソースブロック（ｐｈｙｓｉｃａｌ  ｒｅｓｏｕｒｃｅ  ｂｌｏｃｋ：ＰＲＢ）の集合である。
【００７４】
図８に示すように、どの搬送波帯域に対するヌメロロジー、例えば、どの副搬送波間隔を使用するかによって共通リソースブロックが決定されることができる。共通リソースブロックは、搬送波帯域の最も低い周波数からインデクシン（０から開始）されることができ、共通リソースブロックを単位とするリソースグリッド（ｒｅｓｏｕｒｃｅ  ｇｒｉｄ、これを共通リソースブロックリソースグリッドと称してもよい）が定義されることができる。
【００７５】
帯域幅部分は、最も低いインデックスを有するＣＲＢ（これをＣＲＢ０という）を基準に指示されることができる。最も低いインデックスを有するＣＲＢ０をポイントＡと称する。
【００７６】
例えば、与えられた搬送波の与えられたヌメロロジー下で、ｉ番の帯域幅部分はＮstartBWP,i及びＮsizeBWP,iにより指示されることができる。ＮstartBWP,iは、ＣＲＢ０を基準にｉ番のＢＷＰの開始ＣＲＢを指示することができ、ＮsizeBWP,iは、ｉ番のＢＷＰの周波数領域でのサイズを指示（例えば、ＰＲＢ単位で）することができる。各ＢＷＰ内のＰＲＢは０からインデクシンされ得る。各ＢＷＰ内のＣＲＢのインデックスは、ＰＲＢのインデックスにマッピングされることができる。例えば、ｎCRB＝ｎPRB＋ＮstartBWP,iのようにマッピングされることができる。
【００７７】
端末は、ダウンリンクにおいて最大４つのダウンリンク帯域幅部分が設定できるが、与えられた時点で１つのダウンリンク帯域幅部分のみが活性化されることができる。端末は、ダウンリンク帯域幅部分のうち活性化されたダウンリンク帯域幅部分の以外においては、ＰＤＳＣＨ、ＰＤＣＣＨ、ＣＳＩ−ＲＳなどを受信することを期待しない。各ダウンリンク帯域幅部分は、少なくとも１つのＣＯＲＥＳＥＴを含むことができる。
【００７８】
端末は、アップリンクにおいて最大４つのアップリンク帯域幅部分が設定できるが、与えられた時点で１つのアップリンク帯域幅部分のみが活性化されることができる。端末は、アップリンク帯域幅部分のうち活性化されたアップリンク帯域幅部分の以外においては、ＰＵＳＣＨ、ＰＵＣＣＨなどを送信しない。
【００７９】
ＮＲは、従来のシステムに比べて広帯域において動作するが、全ての端末がこのような広帯域をサポートできることではない。帯域幅部分（ＢＷＰ）は、前記広帯域をサポートできない端末も動作できるようにする特徴がある。
【００８０】
サービングセルの帯域幅部分（ＢＷＰ）で動作するように設定された端末は、前記セルのための上位層により最大４つの帯域幅部分（ＢＷＰ）集合が設定されることができる。
【００８１】
初期の活性化ＤＬ  ＢＷＰは、タイプ０−ＰＤＣＣＨ共通検索空間のための制御リソース集合に対する隣接したＰＲＢの位置及び個数、副搬送波間隔及びＣＰにより定義されることができる。プライマリセルでの動作のために、端末にはランダムアクセス手順のための上位層パラメータが提供されることができる。
【００８２】
ペアリングされていないスペクトル動作（ｕｎｐａｉｒｅｄ  ｓｐｅｃｔｒｕｍ  ｏｐｅｒａｔｉｏｎ）の場合、端末は、ＤＬ  ＢＷＰに対する中心周波数がＵＬ  ＢＷＰに対する中心周波数と同一であると期待することができる。
【００８３】
以下、リソース割当タイプ（ｒｅｓｏｕｒｃｅ  ａｌｌｏｃａｔｉｏｎ  ｔｙｐｅ）に対して説明する。リソース割当タイプは、スケジューラ（例えば、基地局）が各送信に対してリソースブロックを割り当てる方式を規定する。例えば、基地局が複数のリソースブロックで構成された帯域を端末に割り当てるとする時、前記帯域の各リソースブロックに対応するビットで構成されたビットマップを介して前記端末に割り当てられるリソースブロックを知らせることができる。この場合、リソース割当の柔軟性は最も大きくなるが、リソース割当のために使われる情報量が大きくなる短所がある。
【００８４】
このような長短所を考慮して、下記の三つのリソース割当タイプを定義／使用することができる。
【００８５】
１）リソース割当タイプ０は、ビットマップを介してリソースを割り当て、前記ビットマップの各ビットは、リソースブロックでなくリソースブロックグループ（ｒｅｓｏｕｒｃｅ  ｂｌｏｃｋ  ｇｒｏｕｐ：ＲＢＧ）を指示する方式である。即ち、リソース割当タイプ０では、リソース割当がリソースブロックレベルでなくリソースブロックグループ単位で実行される。以下の表は、システム帯域がＮDLRB個のリソースブロックで構成された場合、使われるＲＢＧの大きさを例示する。
【００８６】
【表５】
2020526988.tif 000008
【００８７】
２）リソース割当タイプ１は、ＲＢＧサブセット（ｓｕｂｓｅｔ）単位でリソースを割り当てる方式である。一つのＲＢＧサブセットは、複数のＲＢＧで構成されることができる。例えば、ＲＢＧサブセット＃０はＲＢＧ＃０、３、６、９...、ＲＢＧサブセット＃１はＲＢＧ＃１、４、７、１０...、ＲＢＧサブセット＃２はＲＢＧ＃２、５、８、１１...などのように構成されることができる。一つのＲＢＧサブセット内に含まれているＲＢＧの個数と一つのＲＢＧ内に含まれているリソースブロック（ＲＢ）の個数は、同じに設定される。リソース割当タイプ１は、ＲＢＧサブセットのうちいずれのＲＢＧサブセットが使われるか及び使われるＲＢＧサブセット内でどのＲＢが使われるかを知らせる。
【００８８】
３）リソース割当タイプ２は、割り当てられる帯域開始位置（ＲＢ番号）及び連続されたリソースブロックの個数を知らせる方式にリソース割当をする方法である。前記連続されたリソースブロックは、前記開始位置から始まることができる。ただし、連続されたリソースブロックは、必ず物理的に連続されるという意味に限定されるものではなく、論理的または仮想的リソースブロックインデックスが連続されるという意味もある。
【００８９】
将来の無線通信システムでは、ＲＢＧ（または、ＲＢのグループ）を構成するリソースブロックの個数が流動的に変更されることができる。このとき、該当ＲＢＧに対する情報、例えば、ＲＢＧを構成するリソースブロックの個数を知らせる情報は、スケジューリングＤＣＩまたは第３の物理階層（Ｌ１）シグナリングまたはＲＲＣメッセージのような上位階層信号を介して送信されることができる。
【００９０】
また、将来の無線通信システムにおいて、リソース割り当て情報（例えば、前述のＲＢＧに関する情報）は、周波数領域（ｆｒｅｑｕｅｎｃｙ  ｄｏｍａｉｎ）に関する情報の以外に時間領域（ｔｉｍｅ−ｄｏｍａｉｎ）に関する情報を含むことができ、どの情報を含んでいるか、どのような方式で含むかなども流動的に変更されることができる。
【００９１】
図９は、１つの搬送波内でＢＷＰが動的に活性化される場合を例示する。
【００９２】
図９に示すように、端末には、１つの搬送波（又は、セル）内で第１ＢＷＰ、第２ＢＷＰ、第３ＢＷＰのように複数のＢＷＰが設定されることができる。端末には、ダウンリンク制御情報（ｄｏｗｎｌｉｎｋ  ｃｏｎｔｒｏｌ  ｉｎｆｏｒｍａｔｉｏｎ：ＤＣＩ）を介してＢＷＰ変更が指示されることができる。例えば、前記ＤＣＩは、帯域幅部分インジケータ（ｂａｎｄｗｉｄｔｈ  ｐａｒｔ  ｉｎｄｉｃａｔｏｒ）を含むことができ、前記帯域幅部分インジケータが現在活性化されている帯域幅部分ではない他の帯域幅部分を指示して帯域幅部分を変更することを知らせることができる。前記ＤＣＩは、１つのセルにおいてＰＤＳＣＨスケジューリングするのに使用されるＤＣＩフォーマット１＿１であり得るし、ダウンリンク帯域幅部分変更を指示することができる（知らせることができる）。または、前記ＤＣＩは、１つのセルにおいてＰＵＳＣＨスケジューリングするのに使用されるＤＣＩフォーマット０＿１であり得るし、アップリンク帯域幅部分変更を指示することができる（知らせることができる）。
【００９３】
前記第１、第２、第３ＢＷＰのそれぞれは、時間領域において互いに離隔するか隣接し、周波数領域において互いに隣接するか、数個のＰＲＢ又は副搬送波の分だけ離隔することがある。
【００９４】
ペアリングされていないスペクトル（Ｕｎｐａｉｒｅｄ  ｓｐｅｃｔｒｕｍ）を仮定するセルでのＢＷＰ動作（ｏｐｅｒａｔｉｏｎ）のとき、（ＤＣＩスケジューリングＰＤＳＣＨにおいて指示された値に）ＤＬ  ＢＷＰが変更されると、これとリンクされたＵＬ  ＢＷＰも共に変更される。同様に、（ＤＣＩスケジューリングＰＵＳＣＨにおいて指示された値に）ＵＬ  ＢＷＰが変更されると、これとリンクされたＤＬ  ＢＷＰも共に変更される。すなわち、ＤＬ  ＢＷＰ又はＵＬ  ＢＷＰがそれぞれに対応するＤＣＩを介して変更が指示されても、実際の変更のときにはＤＬ  ＢＷＰとＵＬ  ＢＷＰが共に変更されることができる。言い換えると、ＤＣＩを介してＤＬ  ＢＷＰ（又は、ＵＬ  ＢＷＰ）に対してのみ変更が指示されても、ＤＬ  ＢＷＰ及び前記ＤＬ  ＢＷＰと（リンクされた）ＵＬ  ＢＷＰが共に変更されることができる。
【００９５】
＜動的ＢＷＰ動作時のＨＡＲＱ−ＡＣＫフィードバック送信条件＞
【００９６】
図１０は、本発明の一実施形態によるＨＡＲＱの動作方法を示す。
【００９７】
図１０に示すように、端末は、ＰＤＳＣＨをスケジューリングする第１ＤＣＩを検出する（Ｓ１０１）。例えば、前記第１ＤＣＩは、ＤＣＩフォーマット１＿１であり得る。端末は、前記第１ＤＣＩを検出した時間と前記第１ＤＣＩと関連したＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）を送信する時間との間でプライマリセルのアップリンク帯域幅部分を変更したか否かを判断する（Ｓ１０２）。
【００９８】
例えば、端末は第２ＤＣＩ（例えば、ＤＣＩフォーマット０＿１）を受信し、前記第２ＤＣＩがプライマリセルのアップリンク帯域幅部分変更を指示することがある。より具体的に、前記第２ＤＣＩに含まれた帯域幅部分インジケータがプライマリセルの現在のアップリンク帯域幅部分がなく、プライマリセルの他のアップリンク帯域幅部分を指示することがあり、これに基づいてアップリンク帯域幅部分変更を検出することがある。
【００９９】
しかしながら、場合によっては、前記第２ＤＣＩに基づいた前記アップリンク帯域幅部分変更が前記第１ＤＣＩを検出した時間と前記第１ＤＣＩと関連したＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）を送信する時間との間に適用される可能性がある。
【０１００】
このように、端末は、前記時間区間において前記プライマリセルのアップリンク帯域幅部分が変更された場合、前記第１ＤＣＩにより指示されたＰＵＣＣＨリソースを利用したＡＣＫ／ＮＡＣＫ送信を行わないことがあり得る（Ｓ１０３）。
【０１０１】
例えば、ＮＲのような次期システムにおけるペアリングされたスペクトル（Ｐａｉｒｅｄ  ｓｐｅｃｔｒｕｍ）に対してＤＣＩスケジューリングＰＤＳＣＨ（ＰＤＳＣＨをスケジューリングするＤＣＩ）が受信（検出）された時点とこれに対応するＨＡＲＱ−ＡＣＫフィードバックが送信される時点との間で端末がＵＬ  ＢＷＰを変更する場合には、端末がＨＡＲＱ−ＡＣＫフィードバック送信を期待しないことがあり得る。すなわち、ＰＤＳＣＨをスケジューリングするＤＣＩが受信（検出）された時点とそれに対応するＨＡＲＱ−ＡＣＫフィードバックが送信される時点との間で端末がＵＬ  ＢＷＰを変更する場合には、端末はＨＡＲＱ−ＡＣＫフィードバック送信を行わないことがあり得る。
【０１０２】
その理由は、前記ＤＣＩによりスケジューリングされたＰＤＳＣＨに対するＡＣＫ／ＮＡＣＫを送信するＰＵＣＣＨリソースが存在すると仮定したＵＬ  ＢＷＰ（例えば、第１ＵＬ  ＢＷＰ）とＨＡＲＱ−ＡＣＫフィードバックを送信する実際のＵＬ  ＢＷＰ（例えば、第２ＵＬ  ＢＷＰ）が前記ＵＬ  ＢＷＰの変更により変わるようになるため、前記ＤＣＩのスケジューリング情報が適合しない可能性があるからである。
【０１０３】
より具体的に、端末は、ＨＡＲＱ−ＡＣＫフィードバック送信をしないことは、ＰＣｅｌｌ（プライマリセル）又はＰＵＣＣＨを送信するセルでのＵＬ  ＢＷＰが、ＰＤＳＣＨをスケジューリングするＤＣＩが受信（検出）された時点とこれに対応するＨＡＲＱ−ＡＣＫフィードバックが送信される時点との間で端末がＵＬ  ＢＷＰを変更する場合にのみ限定することもできる。それに対して、ＳＣｅｌｌからＤＣＩスケジューリングＰＤＳＣＨ（ＰＤＳＣＨをスケジューリングするＤＣＩ）を受信（検出）時点とそれに対応するＨＡＲＱ−ＡＣＫフィードバック送信時点との間でＳＣｅｌｌのＵＬ  ＢＷＰが変更されても、ＰＵＣＣＨ送信に対応するＵＬ  ＢＷＰが変更されない場合は、依然として端末はＨＡＲＱ−ＡＣＫフィードバックを送信することができる。
【０１０４】
また、ＨＡＲＱ−ＡＣＫフィードバックは、状況に応じてＤＣＩスケジューリングＰＤＳＣＨにおいて指示したＰＵＣＣＨリソースで送信されることもできる。一例として、ＨＡＲＱ−ＡＣＫフィードバックは、ＣＳＩレポーティングのためのＰＵＣＣＨリソースにおいて送信されることもでき、ＳＲ用のＰＵＣＣＨリソースにおいて送信されることもでき、また、ＰＵＳＣＨを介して送信されることもできる。このような状況下では、ＵＬ  ＢＷＰが変更されることにより、ＤＣＩにおいて指示されたＰＵＣＣＨリソースに関する情報が有効時間が経過した状況と関係ない場合がある。特徴的に、前記のような状況では、ＤＣＩスケジューリングＰＤＳＣＨ受信時点とそれに対応するＨＡＲＱ−ＡＣＫフィードバック送信時点との間で端末がＰＵＣＣＨ送信セルに対するＵＬ  ＢＷＰを変更してもＨＡＲＱ−ＡＣＫフィードバック送信を期待することができる。より特徴的に、ＨＡＲＱ−ＡＣＫフィードバックを送信する時点において端末がＵＬ  ＢＷＰを転換すると（再チューニングギャップ（ｒｅｔｕｎｉｎｇ  ｇａｐ）に該当すると）、前記状況に関係なくＰＵＣＣＨ及び／又はＰＵＳＣＨ送信を行わないこともあり得る。
【０１０５】
ＰＵＣＣＨとＰＵＳＣＨの同時送信が設定され、同一時点にＰＵＣＣＨとＰＵＳＣＨが送信されるとき、そして、ＰＵＣＣＨはＤＣＩにおいて指示したＰＵＣＣＨリソースに基づいて送信される場合に、もし、当該ＤＣＩが受信される時点とこれから指示されるＰＵＣＣＨが送信される時点との間に端末がＵＬ  ＢＷＰを変更する場合は、端末がＰＵＣＣＨ送信をドロップ（ｄｒｏｐ）し、ＰＵＣＣＨのＵＣＩをＰＵＳＣＨを介して送信することもできる。
【０１０６】
次は、ＵＬ  ＢＷＰが変更されることにより、ＵＣＩ送信がドロップされずに送信が持続される場合に関するより具体的な一例である。すなわち、ＵＬ  ＢＷＰの変更時に各ＵＬ  ＢＷＰ別にＰＵＣＣＨ設定及び／又はリソースが自動的に変更される状況に対する一例である。より具体的に、前記設定は、ＰＵＣＣＨリソースインデックス、ＰＵＣＣＨ開始シンボル、ＰＵＣＣＨシンボル区間（ｓｙｍｂｏｌ  ｄｕｒａｔｉｏｎ）、ＰＲＢ位置（ｌｏｃａｔｉｏｎ）、及び／又はホッピング情報などで構成されることであり得る。
【０１０７】
ＳＰＳリソースの場合、半静的（ｓｅｍｉ−ｓｔａｔｉｃ）に各ＵＬ  ＢＷＰにＨＡＲＱ−ＡＣＫリソースが設定されることができる。従って、ＳＰＳ方式で送信されたＰＤＳＣＨ（ＳＰＳ  ＰＳＳＣＨ）に対して、活性化された（ａｃｔｉｖｅ）ＵＬ  ＢＷＰとＰＵＣＣＨが送信されるＵＬ  ＢＷＰとが異なる場合も、ＳＰＳ  ＰＤＳＣＨに対するＨＡＲＱ−ＡＣＫ送信は半静的設定（ｓｅｍｉ−ｓｔａｔｉｃ  ｃｏｎｆｉｇｕｒａｔｉｏｎ）に基づいて行われることができる。
【０１０８】
ＳＲ（ｓｃｈｅｄｕｌｉｎｇ  ｒｅｑｕｅｓｔ）の場合も同様に、ＳＲがトリガされる時点で活性化されたＵＬ  ＢＷＰのリソースに応じて送信することができ、チューニング遅延（ｔｕｎｉｎｇ ｌａｔｅｎｃｙ）／測定ギャップ（ｍｅａｓｕｒｅｍｅｎｔ  ｇａｐ）などの特定ギャップ以外ではＢＷＰスイッチングの影響でＳＲ送信をドロップしないと仮定することができる。
【０１０９】
ＳＲＳ（ｓｏｕｎｄｉｎｇ  ｒｅｆｅｒｅｎｃｅ  ｓｉｇｎａｌ）の場合も活性化されたＢＷＰに関係なく送信することができ、ただ、活性化されたＵＬ  ＢＷＰによってギャップの有無及び遅延（ｌａｔｅｎｃｙ）が異なるように定められる可能性がある。
【０１１０】
周期的（ｐｅｒｉｏｄｉｃ）ＣＳＩ又は半静的（ｓｅｍｉ−ｐｅｒｓｉｓｔｅｎｔ）ＣＳＩ送信の場合、測定参照信号（ＲＳ）を含む（当該する）ＤＬ  ＢＷＰを測定する間に活性化されたＵＬ  ＢＷＰ（すなわち、基準リソースタイミング（ｒｅｆｅｒｅｎｃｅ  ｒｅｓｏｕｒｃｅ  ｔｉｍｉｎｇ）に活性化されたＵＬ  ＢＷＰ）を介してＣＳＩ送信を行うと仮定することができる。もし、実際の送信時点で当該ＵＬ  ＢＷＰが変更された場合、ＣＳＩがドロップされる可能性がある。あるいは、当該ＵＬ  ＢＷＰのレポーティング設定が現在の活性化ＤＬ  ＢＷＰにリンクされている場合には送信し、そうでない場合にドロップすることができる。
【０１１１】
非周期的又は半静的ＣＳＩ送信の場合、トリガされた時点と送信時点にＵＬ  ＢＷＰが変更される場合、エラーとして処理してＰＵＳＣＨ送信をドロップするかＣＳＩをドロップすることがあり得る。この場合、例外的に非周期的（ＡＰ）−ＣＳＩトリガがＵＬ  ＢＷＰスイッチングと同時に送信できる場合はエラーと見なさないことがある。この場合は、新しいＵＬ  ＢＷＰにおいてＣＳＩを送信することができる。すなわち、ＵＬ  ＢＷＰスイッチングの場合、相異なるＵＬ  ＢＷＰに対してスケジューリングされるＰＵＳＣＨが同時に又は相異なるタイミングに発生することはないと仮定することができる。
【０１１２】
非周期的−ＣＳＩ（ＡＰ−ＣＳＩ）送信のトリガリングは、ＤＬスケジューリングＤＣＩ又はＵＬグラントで来ることができるが、ＤＬスケジューリングＤＣＩで来る場合に、当該時点に活性化されたＵＬ  ＢＷＰを基準にＰＵＳＣＨ又はＰＵＣＣＨ送信を行うと仮定し、以後、ＵＬ  ＢＷＰが変更されると、エラーとみなしてＣＳＩをドロップすることができる。ＵＬグラントで来る場合は、前記の方式に従う。
【０１１３】
特徴的に、ＳＲ又はＳＲＳ又はＣＳＩレポーティングリソースに対するスロット周期（ｓｌｏｔ  ｐｅｒｉｏｄ）、スロットオフセット（ｓｌｏｔ  ｏｆｆｓｅｔ）、シンボルオフセット（ｓｙｍｂｏｌ  ｏｆｆｓｅｔ）、及び／又はシンボル周期（ｓｙｍｂｏｌ  ｐｅｒｉｏｄ）は、ＵＬ  ＢＷＰの変更に関係なく設定できる。もし、ＵＬ  ＢＷＰ間に副搬送波間隔（ｓｕｂｃａｒｒｉｅｒ  ｓｐａｃｉｎｇ）及び／又はヌメロロジー設定（ｎｕｍｅｒｏｌｏｇｙ ｃｏｎｆｉｇｕｒａｔｉｏｎ）が相異なると、絶対的時間（ａｂｓｏｌｕｔｅ  ｔｉｍｅ）観点で周期とオフセットがＵＬ  ＢＷＰ間に同一に維持されるようにスケーリング（ｓｃａｌｉｎｇ）されることができる。一例として、１５ｋＨｚの副搬送波間隔である第１ＵＬ  ＢＷＰにおいて周期が１スロットである場合、３０ｋＨｚの副搬送波間隔である第２ＵＬ  ＢＷＰにＵＬ  ＢＷＰが変更されると、周期が２スロットに変換されることができる。
【０１１４】
前記ＨＡＲＱ−ＡＣＫフィードバック送信条件はペアリングされていないスペクトルに対しても定義する必要がある。まず、ペアリングされたスペクトルに類似して、ＤＣＩスケジューリングＰＤＳＣＨ（ＰＤＳＣＨをスケジューリングするＤＣＩ）受信時点とＨＡＲＱ−ＡＣＫフィードバック送信時点との間で端末がＰＣｅｌｌ（又は、ＰＳＣｅｌｌ、ＰＵＣＣＨセル）のＤＬ／ＵＬ  ＢＷＰを変更しない場合に、ＨＡＲＱ−ＡＣＫフィードバック送信を期待することができる。追加で、特徴的にＰＣｅｌｌ（又は、ＰＳＣｅｌｌ、ＰＵＣＣＨセル）において、ＤＣＩスケジューリングＰＤＳＣＨ（ＰＤＳＣＨをスケジューリングするＤＣＩ）において指示したＤＬ  ＢＷＰとリンクされたＵＬ  ＢＷＰにＨＡＲＱ−ＡＣＫフィードバックを送る場合にも端末がＨＡＲＱ−ＡＣＫフィードバック送信することを期待することができる。ペアリングされていないスペクトルにおいては、ＤＬ  ＢＷＰが変更されると、ＵＬ  ＢＷＰも変更されたＤＬ  ＢＷＰに対応されるものに変更される。すなわち、ペアリングされていないスペクトルにおいてＰＵＣＣＨリソースインジケータに対応するＢＷＰは、ＤＣＩスケジューリングＰＤＳＣＨ（ＰＤＳＣＨをスケジューリングするＤＣＩ）において指示したＤＬ  ＢＷＰとリンクされたＵＬ  ＢＷＰであり得る。そのとき、ＰＤＳＣＨ送信時点とそれに対応するＰＵＣＣＨ送信との間で端末が再びＤＬ／ＵＬ  ＢＷＰを変更する場合には、（ＨＡＲＱ−ＡＣＫ ＰＵＣＣＨリソースでの）ＨＡＲＱ−ＡＣＫフィードバックを期待しないことがある。
【０１１５】
前記端末がＤＬ／ＵＬ  ＢＷＰを変更することは、他のＤＣＩからＢＷＰインジケータを検出した場合であるか、又は、デフォルトタイマが満了してデフォルトＤＬ／ＵＬ  ＢＷＰに変更される場合であり得る。次に、ＨＡＲＱ−ＡＣＫフィードバックがＣＳＩレポーティング用途のＰＵＣＣＨリソース及び／又はＳＲのためのＰＵＣＣＨリソース及び／又はＵＬグラントによりスケジューリングされたＰＵＳＣＨを介して送信される場合に、端末は前記ＵＬ  ＢＷＰが変更される状況においてもＨＡＲＱ−ＡＣＫフィードバック送信を期待することができる。
【０１１６】
より特徴的に、ペアリングされていないスペクトルの状況においてＰＣｅｌｌのＤＬ割り当てを含むＤＣＩを介して指示されるＰＵＣＣＨリソースは、前記ＤＣＩにおいて指示するＤＬ  ＢＷＰとリンクされたＵＬ  ＢＷＰに対応されるものであり得る。また、ＰＳＣｅｌｌに対するＤＬ割り当てを含むＤＣＩを介して指示されるＰＵＣＣＨリソースは、前記ＤＣＩにおいて指示したＤＬ  ＢＷＰとリンクされたＵＬ  ＢＷＰに対応するものであり得る。また、ＰＵＣＣＨ−ＳＣｅｌｌに対するＤＬ割り当てを含むＤＣＩを介して指示されるＰＵＣＣＨリソースは、前記ＤＣＩにおいて指示したＤＬ  ＢＷＰとリンクされたＵＬ  ＢＷＰに対応されるものであり得る。その他、ＳＣｅｌｌに対するＤＬ割り当てを含むＤＣＩを介して指示されるＰＵＣＣＨリソースは、前記ＤＣＩが受信された時点で当該ＳＣｅｌｌと同一のＰＵＣＣＨグループのうちＰＵＣＣＨを送信できるセルの活性化ＵＬ  ＢＷＰに対応できる。
【０１１７】
＜動的ＢＷＰスイッチングのときの端末動作＞
【０１１８】
前述したように、次期システム（例えば、ＮＲ）においては、スケジューリングされたＢＷＰがＤＣＩ指示により動的に変更されることができる。ＢＷＰ変更時に要求される再チューニング時間（ｒｅｔｕｎｉｎｇ  ｔｉｍｅ）は端末によって相異なる可能性がある。基地局は、前記再チューニング時間を考慮して各端末の立場でプロセッシング時間が十分であるように、ＰＤＳＣＨ又はＰＵＳＣＨスケジューリング時にそれぞれの送信時点を設定／指示することができる。
【０１１９】
図１１は、動的ＢＷＰスイッチング時の端末の動作方法を例示する。
【０１２０】
図１１に示すように、端末は、帯域幅部分（ｂａｎｄｗｉｄｔｈ  ｐａｒｔ：ＢＷＰ）情報（例えば、ｂａｎｄｗｉｄｔｈ  ｐａｒｔ  ｉｎｄｉｃａｔｏｒ）を含むダウンリンク制御情報（ｄｏｗｎｌｉｎｋ  ｃｏｎｔｒｏｌ  ｉｎｆｏｒｍａｔｉｏｎ：ＤＣＩ）を受信する（Ｓ２００）。前記ＤＣＩは、例えば、ＤＣＩフォーマット０＿１又はＤＣＩフォーマット１＿１であり、これについて詳細に後述する。
【０１２１】
端末は、前記ＤＣＩに基づいて帯域幅部分（ｂａｎｄｗｉｄｔｈ  ｐａｒｔ：ＢＷＰ）の変更を検出することができる（Ｓ２０１）。すなわち、端末は、帯域幅部分（ｂａｎｄｗｉｄｔｈ  ｐａｒｔ：ＢＷＰ）変更を指示する（知らせる）ダウンリンク制御情報（ｄｏｗｎｌｉｎｋ  ｃｏｎｔｒｏｌ  ｉｎｆｏｒｍａｔｉｏｎ：ＤＣＩ）を検出する。端末は、前記ＤＣＩに基づいて第１帯域幅部分から第２帯域幅部分に帯域幅部分を変更する（Ｓ２０２）。このとき、第２帯域幅部分の適用時点が問題になるが、これについては詳細に後述する。
【０１２２】
前記帯域幅部分変更は、ＤＬ  ＢＷＰ変更（スイッチング）又はＵＬ  ＢＷＰ変更（スイッチング）であり得る。例えば、端末は、ＤＣＩフォーマット１＿１を受信し、前記ＤＣＩフォーマット１＿１に基づいてＤＬ  ＢＷＰの変更を行うことができる。すなわち、前記ＤＣＩがＤＣＩフォーマット１＿１であり得る。ＤＣＩフォーマット１＿１は、１つのセルにおいてＰＤＳＣＨスケジューリングに使用されるＤＣＩフォーマットであって、帯域幅部分インジケータを含むことができる。帯域幅部分インジケータは、０、１又は２ビットであり、上位層により設定された複数のＤＬ  ＢＷＰのうち１つを指示することができる。端末がＤＣＩによる活性化ＢＷＰ変更をサポートしない場合は、このフィールドを無視できる。現在の活性化ＢＷＰではない他のＢＷＰを前記帯域幅部分インジケータが指示することにより、ＤＬ  ＢＷＰ変更を知らせることができる。例えば、端末は、前記帯域幅部分インジケータが指示するＤＬ帯域幅部分が現在のＤＬ帯域幅部分ではない他のＤＬ帯域幅部分を指示する場合、ＤＬ帯域幅部分が変更されることを検出することができる。ＤＣＩフォーマット１＿１は、時間領域リソースの割り当て（Ｔｉｍｅ  ｄｏｍａｉｎ  ｒｅｓｏｕｒｃｅ  ａｓｓｉｇｎｍｅｎｔ）フィールドを含み、このフィールドは、ＰＤＳＣＨに対する時間領域のリソースの割り当てに関連する。具体的に、前記時間領域リソース割り当てフィールドの値は、リソース割り当て表の特定行（ｒｏｗ）インデックスを提供し、前記行（ｒｏｗ）はＰＤＳＣＨ受信に関連したスロットオフセット、開始シンボル、割り当て長、ＰＤＳＣＨマッピングタイプのうち少なくとも１つを定義する。すなわち、前記時間領域リソース割り当てフィールドの値に応じて、ＰＤＳＣＨを受信するスロット、前記スロット内で前記ＰＤＳＣＨを受信する開始シンボル、前記ＰＤＳＣＨを受信するシンボルの数（時間区間、又は時間長と表現してもよい）などが分かる。
【０１２３】
または、端末は、ＤＣＩフォーマット０＿１を受信し、前記ＤＣＩフォーマット０＿１に基づいてＵＬ  ＢＷＰの変更を行うことができる。すなわち、前記ＤＣＩがＤＣＩフォーマット０＿１であり得る。ＤＣＩフォーマット０＿１は、１つのセルにおいてＰＵＳＣＨスケジューリングに使用されるＤＣＩフォーマットであって、帯域幅部分インジケータを含むことができる。帯域幅部分インジケータは０、１又は２ビットであり、上位層により設定された複数のＵＬ  ＢＷＰのうち１つを指示することができる。端末がＤＣＩによる活性化ＢＷＰ変更をサポートしない場合は、このフィールドを無視できる。現在の活性化ＢＷＰではない他のＢＷＰを前記帯域幅部分インジケータが指示することにより、ＵＬ  ＢＷＰ変更を知らせることができる。例えば、端末は、前記帯域幅部分インジケータが指示するＵＬ帯域幅部分が現在のＵＬ帯域幅部分ではない他のＵＬ帯域幅部分を指示する場合、帯域幅部分が変更されることを検出することができる。ＤＣＩフォーマット０＿１は、時間領域リソース割り当て（Ｔｉｍｅ  ｄｏｍａｉｎ  ｒｅｓｏｕｒｃｅ  ａｓｓｉｇｎｍｅｎｔ）フィールドを含み、このフィールドは、ＰＵＳＣＨに対する時間領域のリソース割り当てに関連する。具体的に、前記時間領域リソース割り当てフィールドの値は、リソース割り当て表の特定行（ｒｏｗ）インデックスを提供し、前記行（ｒｏｗ）は、ＰＵＳＣＨ送信に関連したスロットオフセット、開始シンボル、割り当て長、ＰＤＳＣＨマッピングタイプのうち少なくとも１つを定義する。
【０１２４】
一方、変更された帯域幅部分をどの時点から適用するかが問題となり得る。例えば、前記ＤＣＩを検出した時点から適用するか、それとも、前記ＤＣＩを検出した後、特定時点から適用するかなどが明確に規定されないと、曖昧性が発生する。
【０１２５】
本発明では、ＤＬ  ＢＷＰスイッチングの場合は、ＤＣＩがスケジューリングするＰＤＳＣＨ送信スロット又はシンボルから変更されたＢＷＰを適用することができる。もし、ＤＬ  ＢＷＰスイッチングに要求される時間が足りない場合は、当該時間区間の分だけ端末がＰＤＣＣＨモニタリング及び／又はＰＤＳＣＨデコードをスキップすることができる。より特徴的に、一部のシンボルでのＤＬチャネル受信をスキップした場合、ＤＭＲＳを確保できなかった場合は、当該ＤＬチャネルの検出／復号を期待しないことがあり得る。これは、ＤＭＲＳを一部でも確保できなかった場合は、チャネル推定（ｃｈａｎｎｅｌ  ｅｓｔｉｍａｔｉｏｎ）の不在により正常の復号を行うことができないためである。前記の場合に、依然としてＢＷＰスイッチングを指示するＰＤＣＣＨを検出した場合は、実際の当該ＰＤＳＣＨ送信を省略した場合でも、ＨＡＲＱ−ＡＣＫフィードバックにＮＡＣＫを設定することができる。ペアリングされていないスペクトルの場合は、当該ＤＬ受信／検出省略区間の間、ＵＬ送信を行わないことができる。
【０１２６】
図１２は、ＢＷＰ変更を適用する例を示す。
【０１２７】
図１２に示すように、端末は、第１ＤＬ  ＢＷＰが活性化された状態であり得る。端末は、第１ＤＬ  ＢＷＰにおいてセルに対する活性化ＢＷＰの変更を指示するＤＣＩ（例えば、ＤＣＩフォーマット１＿１）を検出（受信）することができる。前記ＤＣＩは、ＰＤＣＣＨを介して受信できる。例えば、端末は、時間領域の側面で第１スロットにおいて前記ＤＣＩを検出することができる。
【０１２８】
例えば、前記ＤＣＩが第２ＤＬ  ＢＷＰで活性化ＢＷＰの変更を指示したと仮定する。また、前記ＤＣＩがスケジューリングするＰＤＳＣＨは第ｎ＋１スロットに位置すると仮定する。このとき、前記ＤＣＩは、時間領域リソース割り当てフィールドを介して前記第ｎ＋１スロットを知らせることができる。
【０１２９】
このような場合、端末は、前記ＰＤＣＣＨを受信した第１スロットの特定シンボル（例えば、３番目のシンボル）から前記ＤＣＩの時間領域リソース割り当てフィールドのスロットオフセット値により指示されるスロット（第ｎ＋１スロット）の開始までの時間区間（ｔｉｍｅ  ｄｕｒａｔｉｏｎ）１２１において信号の受信／送信をしないことがある（信号の受信／送信が要求されないことがある）。端末は、前記時間区間１２１においてＰＤＣＣＨモニタリング及び／又はＰＤＳＣＨデコードをスキップ（ｓｋｉｐ）することができる。これは、前記ＰＤＳＣＨが第ｎ＋１スロットの１番目のシンボルから開始しないとしても、端末は、前記ＰＤＳＣＨが位置した第ｎ＋１スロットの開始から変更された第２ＤＬ  ＢＷＰを適用することであると見ることができる。すなわち、スロット単位でＢＷＰ変更を適用するという意味である。
【０１３０】
同様に、ＤＣＩによるＵＬ  ＢＷＰスイッチングの場合、前記ＤＣＩ（例えば、ＤＣＩフォーマット０＿１）がスケジューリングするＰＵＳＣＨが送信されるスロットから変更されたＢＷＰを適用することを考慮することができる。前記ＤＣＩを含むＰＤＣＣＨを受信したスロットの３番目のシンボルから前記ＤＣＩの時間領域リソース割り当てフィールドのスロットオフセット値により指示されるスロットの開始までの時間区間の間、端末は信号の受信送信が要求されない可能性がある。すなわち、前記時間区間において端末は、ＰＵＳＣＨ送信及び／又はＰＵＣＣＨ送信及び／又はＳＲＳ送信をスキップ（ｓｋｉｐ）することができる。
【０１３１】
また他の方法として、端末は、指示又は設定されたＰＤＣＣＨ−ｔｏ−ＰＤＳＣＨのタイミングに従うとき、ＤＬ  ＢＷＰスイッチングに要求される時間が足りなく設定される状況は期待しないことがある。より特徴的に、ＤＬ  ＢＷＰのスイッチングが、デフォルトタイマが満了した場合にデフォルトＢＷＰに回帰した場合は、当該タイマが満了したタイマ単位（スロット又は０．５ｍｓ単位の時間領域のｂｉｎ）又はその次のタイマ単位（スロット又は０．５ｍｓ単位の時間領域のｂｉｎ）、又は当該タイマが満了した時点以後の最も早いモニタリング機会（ｍｏｎｉｔｏｒｉｎｇ  ｏｃｃａｓｉｏｎ）からデフォルトＢＷＰを適用することができる。すなわち、当該スロットから変更されたＢＷＰにおいてＰＤＣＣＨモニタリングを行うことができる。
【０１３２】
また、当該スロットから指示されたＢＷＰに基づいて（ＣＳＩ又はＲＳＲＰ（ｒｅｆｅｒｅｎｃｅ  ｓｉｇｎａｌ  ｒｅｃｅｉｖｅｄ  ｐｏｗｅｒ）又はＲＬＭ（ｒａｄｉｏ ｌｉｎｋ ｍｏｎｉｔｏｒｉｎｇ）又はＲＬＦ（ｒａｄｉｏ ｌｉｎｋ ｆａｉｌｕｒｅ）基準リソースを用いた）測定を行うことを考慮することができる。または、当該端末に対して設定された時間領域リソース割り当て値のうちＰＤＣＣＨとそれに対応するＰＤＳＣＨ間の時間が最も大きいものを基準にデフォルトＢＷＰ適用時点が決定されることもある。これは、時間領域リソース割り当て設定時にＢＷＰスイッチングの最悪の場合（ｗｏｒｓｔ  ｃａｓｅ）を考慮したものと見ることができ、タイマに基づいた場合は、ＢＷＰ適用時点に関する情報を別途に受信できないので、最悪の場合に合わせると見ることができる。より特徴的に、前記方式は、ペアリングされたスペクトルである場合に限定することができる。もし、ペアリングされていないスペクトルの場合は、ＵＬ  ＢＷＰスイッチングに関する情報も考慮する必要があるため、当該端末に対して設定された時間領域リソース割り当て値のうちＰＤＣＣＨとそれに対応するＰＤＳＣＨ間の時間と、ＰＤＣＣＨとそれに対応するＰＵＳＣＨ間の時間が最も大きいものを基準にデフォルト適用時点が決定されることもある。
【０１３３】
ＤＣＩが送信されたＰＤＣＣＨモニタリングの機会又はスロットからＰＤＳＣＨが送信されるスロット又は開始割り当てシンボル（ｓｔａｒｔｉｎｇ  ａｌｌｏｃａｔｅｄ  ｓｙｍｂｏｌ）まで、端末は、ＤＣＩが送信されたＢＷＰにおいてＰＤＣＣＨモニタリングを行うことができる。また、ＣＳＩ測定に対する仮定（測定リソースなど）は、ＤＣＩが送信されたＢＷＰを基準に仮定することができる。再チューニング時間（Ｒｅｔｕｎｉｎｇ  ｔｉｍｅ）を考慮すると、変更されたＢＷＰにおいて送信されるＰＤＳＣＨ送信から数シンボルの前ではＰＤＣＣＨモニタリングやＣＳＩ測定をスキップすることであり得る。より特徴的に、ＢＷＰが変更されるとき、ＰＤＳＣＨが送信されたスロットにおいて、又はＰＤＳＣＨが送信されたスロットにおいてＰＤＳＣＨより先行するモニタリング機会でＰＤＣＣＨモニタリングをスキップすることであり得る。
【０１３４】
また他の方式としては、端末がＢＷＰインジケータを検出した時点の次のスロット又は次のモニタリング機会から指示されたＢＷＰを適用することであり得る。前記の場合には、ＰＤＣＣＨモニタリング及び／又は測定などが当該時点から指示されたＢＷＰを仮定することであるかもしれない。
【０１３５】
ＵＬ  ＢＷＰスイッチングの場合は、ＤＣＩがスケジューリングするＰＵＳＣＨ送信スロットから指示されたＢＷＰを適用することを考慮することができる。すなわち、当該スロットから指示されたＢＷＰにおいて上位層により設定されたＰＵＣＣＨを送信するものであり得る。また、当該スロットから指示されたＢＷＰをベースに（ＣＳＩ）レポーティング設定を仮定することができる。同様に、再チューニング時間（ｒｅｔｕｎｉｎｇ  ｔｉｍｅ）を考慮してＰＵＳＣＨが送信される数シンボルの前では、端末が上位層により設定されたＰＵＣＣＨ及び／又はＳＲＳを送信しないことがある。
【０１３６】
より特徴的に、ペアリングされていないスペクトルの場合、ＵＬ  ＢＷＰのスイッチングがデフォルトタイマが満了した場合にデフォルトのＤＬ  ＢＷＰにリンクされたＵＬ  ＢＷＰに回帰すると、当該タイマが満了したタイマ単位（スロット又は０．５ｍｓ単位の時間領域ｂｉｎ）又はその次のタイマ単位（スロット又は０．５ｍｓ単位の時間領域ｂｉｎ）、又は当該タイマが満了した時点以後の最も早いＵＬシンボルから変更されたＢＷＰを適用することができる。
【０１３７】
それにもかかわらず、もし、ＵＬ  ＢＷＰスイッチングに要求される時間が足りない場合は、当該時間区間の分だけ端末がＰＵＳＣＨ送信及び／又はＰＵＣＣＨ送信及び／又はＳＲＳ送信をスキップすることができる。より特徴的に、もし、一部のシンボルでのＵＬチャネル送信をスキップした場合に（少なくとも一部の）ＤＭＲＳ送信が保障されない場合にはＵＬチャネル送信全体をスキップすることができる。ＤＭＲＳを確保できてきない場合は、チャネル推定の不在により送信自体が無意味であるためである。また他の方法として、端末は、指示又は設定されたＰＤＣＣＨ−ｔｏ−ＰＤＳＣＨのタイミングがＤＬ  ＢＷＰスイッチングに要求される時間が足りなく設定される状況を期待しないことがある。
【０１３８】
また他の方式としては、端末がＢＷＰインジケータを検出した時点の次のスロット又は次のＵＬシンボルから指示されたＢＷＰを適用することもできる。前記の場合には、上位層により設定されたＰＵＣＣＨ及び／又はＳＲＳなどが当該時点から指示されたＢＷＰを仮定することであり得る。より特徴的に、ＵＬ  ＢＷＰスイッチングの場合は、ＴＡを考慮して当該端末のＴＡ値又は最大ＴＡ値に基づいてＢＷＰ適用時点が遅延されることもあり得る。
【０１３９】
端末がデフォルトＢＷＰへの回帰のためにタイマを動作させるとするとき、一般的には、タイマ単位（スロット又は０．５ｍｓ）の間、ペアリングされたスペクトルにおいてはＤＣＩフォーマット１＿１が検出されない場合に、ペアリングされていないスペクトルにおいてはＤＣＩフォーマット１＿１又はＤＣＩフォーマット０＿１が検出されない場合に増加することであった。
【０１４０】
もし、前記ＤＣＩにおいて他のＤＬ又はＵＬ  ＢＷＰを指示する場合に当該ＤＣＩが送信された時点と、新しいＢＷＰにおいてＰＤＳＣＨ又はＰＵＳＣＨが送信される時点との間に、デフォルトＢＷＰに回帰する動作は不要であるかもしれない。従って、デフォルトＢＷＰへ回帰のためのタイマは、ｉ）ペアリングされたスペクトルにおいてはＤＣＩフォーマット１＿１がＤＬ  ＢＷＰスイッチを指示する場合に、ｉｉ）ペアリングされていないスペクトルにおいてはＤＣＩフォーマット１＿１又はＤＣＩフォーマット０＿１がＤＬ／ＵＬ  ＢＷＰスイッチングを指示する場合に、当該ＤＣＩが送信される時点からＰＤＳＣＨ又はＰＵＳＣＨが送信される時点までタイマが増加されずに維持されることであり得る。すなわち、前記場合は、ＤＣＩフォーマット１＿１及び／又はＤＣＩフォーマット０＿１が検出されなくてもタイマを増加させない。
【０１４１】
図１３は、ＢＷＰ変更と関連したタイマ動作を例示する。
【０１４２】
図１３に示すように、帯域幅部分（ｂａｎｄｗｉｄｔｈ  ｐａｒｔ：ＢＷＰ）の変更を知らせるダウンリンク制御情報（ｄｏｗｎｌｉｎｋ  ｃｏｎｔｒｏｌ  ｉｎｆｏｒｍａｔｉｏｎ：ＤＣＩ）を検出する（Ｓ３０１）。
【０１４３】
端末は、前記ＤＣＩによりスケジューリングされるＰＤＳＣＨ又はＰＵＳＣＨを受信する時点まで、デフォルト帯域幅部分に戻ることと関連したタイマ値を増加させずに維持させることができる（Ｓ３０２）。
【０１４４】
または、タイマはそのままＤＣＩ検出基準でカウントするものの、前記ＤＬ  ＢＷＰスイッチングを指示するＤＣＩ受信時点と当該ＰＤＳＣＨ又はＰＵＳＣＨ送信時点間との間にタイマが満了（ｅｘｐｉｒｅ）した場合にも当該区間内にデフォルトＢＷＰに回帰しないことがある。
【０１４５】
ペアリングされていないスペクトルの場合は、活性化ＤＬ  ＢＷＰが変更される時点と活性化ＵＬ  ＢＷＰが変更される時点が同一であると仮定することができる。このとき、ＤＬとＵＬ間のヌメロロジーが異なる場合には、実際の絶対的時間（ａｂｓｏｌｕｔｅ  ｔｉｍｅ）を基準に同一に合わせられることであり得る。
【０１４６】
＜相異なるＢＷＰにおいてＤＣＩサイズ＞
【０１４７】
ＤＣＩサイズを決定するにおいて、前記ＤＣＩサイズに影響を及ぼす様々な要素がある。第一に、対応するＤＣＩに対して使用可能な（ｅｎａｂｌｅｄ）特徴（例えば、ＣＢＧ再送信、時間領域ＲＡサイズなど）が明確に決定される必要がある。第二に、ＤＣＩがスケジューリングのために参照できる帯域幅が決定される必要があるが、前記帯域幅は、周波数領域ＲＡフィールドサイズを定義することができる。最後に、相異なるＤＣＩフォーマット間の整列に基づいてパディングサイズ（ｐａｄｄｉｎｇ  ｓｉｚｅ）を決定しなければならない。
【０１４８】
次のＤＣＩフォーマットを定義できる。
【０１４９】
１）ＤＣＩフォーマット０＿０：フォールバックＤＣＩ−ＵＬグラント、２）ＤＣＩフォーマット０＿１：ＵＬグラント、３）ＤＣＩフォーマット１＿０：フォールバックＤＣＩ−ＤＬスケジューリングＤＣＩ、３）ＤＣＩフォーマット１＿１：ＤＬスケジューリングＤＣＩ、４）ＤＣＩフォーマット２＿０：ＳＦＩ、５）ＤＣＩフォーマット２＿１：ＰＩ、６）ＤＣＩフォーマット２＿２：ＴＰＣ、７）ＤＣＩフォーマット２＿３：ＳＲＳのためのＴＰＣ。
【０１５０】
少なくともＤＣＩフォーマット２系列に対するＤＣＩサイズは設定されることができる。従って、使用例によってＤＣＩフォーマット１＿０と同一か異なるようにＤＣＩサイズが設定される。活性化ＤＬ／ＵＬ  ＢＷＰによってＤＣＩフォーマット１＿０のサイズが異なる場合があるので、ＤＣＩサイズの設定の側面で「パディングビットを含んでＤＣＩフォーマット１＿０と同一のサイズ」を示す項目を追加することを考慮することができる。
【０１５１】
提案１：ＤＣＩフォーマット２系列のＤＣＩサイズはＤＣＩフォーマット１＿０のサイズと同一か異なる場合がある。相異なるＢＷＰにおいてＤＣＩフォーマット１＿０の他のＤＣＩサイズを指定するには、パディングビットを含んでＤＣＩフォーマット２系列及びＤＣＩフォーマット１＿０を整列する項目（ｅｎｔｒｙ）を１つ追加することができる。
【０１５２】
提案２：ダウンリンクスケジューリングのためのフォールバックＤＣＩ、ＤＣＩフォーマットスケジューリングＲＭＳＩ（ｒｅｍａｉｎｉｎｇ  ｍｉｎｉｍｕｍ  ｓｙｓｔｅｍ  ｉｎｆｏｒｍａｔｉｏｎ）、ＯＳＩ（ｏｔｈｅｒ  ｓｙｓｔｅｍ  ｉｎｆｏｒｍａｔｉｏｎ）、ＲＡＲ（ｒａｎｄｏｍ  ａｃｃｅｓｓ  ｒｅｓｐｏｎｓｅ）、Ｍｓｇ４（ｍｅｓｓａｇｅ  ４）はフォーマット１＿０である。相異なるＲＮＴＩがあるフォーマット１＿０のサイズは同一である。
【０１５３】
ＢＷＰにおいて、ＳＩ−ＲＮＴＩ／ＲＡ−ＲＮＴＩ又はＣ−ＲＮＴＩを有するＤＣＩフォーマット１＿０の間で同一のサイズを有するためには、周波数領域リソース割り当てフィールドサイズを整列しなければならない。最も簡単な方法は、現在の活性化ＤＬ  ＢＷＰの帯域幅を仮定することである。しかしながら、これは、同一の帯域幅を有するＢＷＰが設定された端末の間でブロードキャストスケジューリングＤＣＩが共有されることを制限する。
【０１５４】
また他の接近法は、現在の活性化ＤＬ  ＢＷＰ（又は、活性化ＤＬ  ＢＷＰより小さいか同一である）と異なるブロードキャストスケジューリングＤＣＩがスケジューリングできる個別周波数／ＢＷを設定することである。
【０１５５】
この場合、相異なるＢＷＰ設定を有する相異なる端末間のＤＣＩサイズを整列するために、ＤＣＩフォーマット１＿０に対する周波数領域ＲＡフィールドサイズの最大値を設定することができる。これは、上位層信号を介して設定される。
【０１５６】
提案３：ＳＩ−ＲＮＴＩ、ＲＡ−ＲＮＴＩ、Ｐ−ＲＮＴＩを有するＤＣＩフォーマット１＿０がスケジューリングできる帯域幅及び周波数領域は、ＲＭＳＩ  ＣＯＲＥＳＥＴを除いた各ＤＬ  ＢＷＰのＣＯＲＥＳＥＴ設定において設定される。設定されないと、現在の活性化ＤＬ  ＢＷＰが当該帯域／周波数領域と仮定される。
【０１５７】
提案４：ＤＣＩフォーマット１＿０において使用される周波数領域ＲＡフィールドサイズは設定されることができる。設定されていない場合、当該フィールドサイズは、現在の活性化ＤＬ  ＢＷＰの帯域幅により決定される。
【０１５８】
また、ＤＣＩフォーマット１＿０のサイズはＤＣＩフォーマット０＿０と整列されることもできる。ＤＣＩフォーマット０＿０に対する周波数領域／帯域幅の側面においてＤＣＩがどのＵＬ  ＢＷＰをスケジューリングするのかを明確にしなければならない。例えば、現在の活性化ＵＬ  ＢＷＰが仮定される。しかしながら、ＵＬ  ＢＷＰの変更によってＤＣＩフォーマット０＿０のＤＣＩサイズの変更が発生することがある。これを防止するために、ＤＣＩフォーマット０＿０に対するＲＡフィールドサイズは、設定されたＵＬ  ＢＷＰのうち「最大」ＲＡフィールドサイズと見なされ得る。
【０１５９】
ＤＣＩフォーマット０＿０を相異なるＢＷＰを有する複数の端末間で共有されるＤＣＩフォーマット１＿０と整列するために、ｍｉｎ｛ＤＣＩフォーマット１＿０に対する設定されたＲＡフィールドサイズ＋ｋ、ＵＬ  ＢＷＰのうち最大ＲＡフィールドサイズ｝を考慮することができる。ＤＣＩフォーマット１＿０は、ＤＣＩフォーマット０＿０より多いフィールドを有することができるので、整列させるためには、ＤＣＩフォーマット０＿０のＲＡフィールドサイズがＤＣＩフォーマット１＿１のＲＡフィールドサイズよりギャップｋ（例えば、ＳＵＬ構成によってｋ＝６又は７）ビットの分だけ大きくなることがある。
【０１６０】
提案５：ＤＣＩフォーマット０＿０の場合、ＲＡフィールドサイズは、設定されたＵＬ  ＢＷＰ及びＤＣＩフォーマット１＿０を考慮して決定されることができる。ＤＣＩフォーマット０＿０のＲＡフィールドサイズは、ｍｉｎ｛ＤＣＩフォーマット１＿０に対する構成されたＲＡフィールドサイズ＋ｋ、ＵＬ  ＢＷＰのうち最大ＲＡフィールドサイズ｝に定義されることができる。ここで、ｋビットは、同一のＲＡフィールドサイズを仮定したＤＣＩフォーマット１＿０とＤＣＩフォーマット０＿０間の差であり得る。
【０１６１】
ＲＲＣ設定を避けるために、１つの接近法は、活性化ＤＬ  ＢＷＰの周波数領域が前記活性化ＤＬ  ＢＷＰの最も低いＰＲＢからのＰＲＢ集合に定義され、フォーマット１＿０に対して固定されたＲＡフィールドサイズが使用されると仮定することである。
【０１６２】
本発明によると、ペアリングされていないスペクトルにおいて活性化ＢＷＰを活用してネットワークのリソース活用効率を高めることができる。
【０１６３】
図１４は、本発明を実行する送信装置１０及び受信装置２０の構成要素を示すブロック図である。ここで、前記送信装置及び受信装置は、それぞれ基地局又は端末であり得る。
【０１６４】
送信装置１０及び受信装置２０は、情報及び／又はデータ、信号、メッセージなどを運ぶ無線信号を送信又は受信できるトランシーバ１３、２３と、無線通信システム内通信に関する各種情報を格納するメモリ１２、２２と、前記トランシーバ１３、２３、及びメモリ１２、２２などの構成要素と接続されて、前記構成要素を制御し、該当装置が前述した本発明の実施形態のうち少なくとも１つを行うようにメモリ１２、２２及び／又はトランシーバ１３、２３を制御するように構成された（ｃｏｎｆｉｇｕｒｅｄ）プロセッサ１１、２１とをそれぞれ含む。
【０１６５】
メモリ１２、２２は、プロセッサ１１、２１の処理及び制御のためのプログラムを格納することができ、入／出力される情報を一時格納することができる。メモリ１２、２２は、バッファとして活用されることもできる。
【０１６６】
プロセッサ１１、２１は、通常的に送信装置又は受信装置内の各種モジュールの全般的な動作を制御する。特に、プロセッサ１１、２１は、本発明を実行するための各種の制御機能を行うことができる。プロセッサ１１、２１は、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などとも呼ばれることができる。プロセッサ１１、２１は、ハードウェア（ｈａｒｄｗａｒｅ）又はファームウェア（ｆｉｒｍｗａｒｅ）、ソフトウェア又はこれらの結合により実現される。ハードウェアを利用して本発明を実現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）又はＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１１、２１に備えられることができる。一方、ファームウェアやソフトウェアを利用して本発明を実現する場合には、発明の機能又は動作を行うモジュール、手順又は関数などを含むようにファームウェアやソフトウェアが構成されることができ、本発明を実行できるように構成されたファームウェア又はソフトウェアは、プロセッサ１１、２１内に備えられるか、メモリ１２、２２に格納されてプロセッサ１１、２１により駆動されることができる。
【０１６７】
送信装置１０のプロセッサ１１は、外部に送信する信号及び／又はデータに対して所定の符号化（ｃｏｄｉｎｇ）及び変調（ｍｏｄｕｌａｔｉｏｎ）を行った後、トランシーバ１３に送信することができる。例えば、プロセッサ１１は、送信しようとするデータ列を逆多重化及びチャネル符号化、スクランブリング、変調過程などを経てコードワードを生成することができる。コードワードは、ＭＡＣ層が提供するデータブロックである送信ブロックと等価の情報を含むことができる。１つの送信ブロック（ｔｒａｎｓｐｏｒｔ  ｂｌｏｃｋ：ＴＢ）は、１つのコードワードに符号化されることができる。各コードワードは、１つ以上のレイヤを介して受信装置に送信されることができる。周波数アップコンバート（ｆｒｅｑｕｅｎｃｙ  ｕｐ−ｃｏｎｖｅｒｔ）のためにトランシーバ１３は、オシレータ（ｏｓｃｉｌｌａｔｏｒ）を含むことができる。トランシーバ１３は１つ又は複数の送信アンテナを含むことができる。
【０１６８】
受信装置２０の信号処理過程は、送信装置１０の信号処理過程の逆で構成されることができる。プロセッサ２１の制御下に、受信装置２０のトランシーバ２３は、送信装置１０により送信された無線信号を受信することができる。前記トランシーバ２３は、１つ又は複数の受信アンテナを含んでもよい。前記トランシーバ２３は、受信アンテナを介して受信された信号を周波数ダウンコンバート（ｆｒｅｑｕｅｎｃｙ ｄｏｗｎ−ｃｏｎｖｅｒｔ）してベースバンド信号に復元することができる。トランシーバ２３は、周波数ダウンコンバートのためにオシレータを含むことができる。前記プロセッサ２１は、受信アンテナを介して受信された無線信号に対する復号（ｄｅｃｏｄｉｎｇ）及び復調（ｄｅｍｏｄｕｌａｔｉｏｎ）を行って、送信装置１０が本来送信しようとしたデータを復元することができる。
【０１６９】
トランシーバ１３、２３は、１つ又は複数のアンテナを備えてもよい。アンテナは、プロセッサ１１、２１の制御下で本発明の一実施形態によって、トランシーバ１３、２３により処理された信号を外部に送信するか、外部から無線信号を受信してトランシーバ１３、２３に伝達する機能を行うことができる。アンテナは、アンテナポートと称されてもよい。各アンテナは、１つの物理アンテナに該当するか、１つより多い物理アンテナ要素（ｅｌｅｍｅｎｔ）の組み合わせにより構成される（ｃｏｎｆｉｇｕｒｅｄ）ことができる。各アンテナから送信された信号は、受信装置２０によりこれ以上分解されることはできない。該当アンテナに対応して送信された参照信号（ｒｅｆｅｒｅｎｃｅ  ｓｉｇｎａｌ：ＲＳ）は、受信装置２０の観点から見たアンテナを定義し、チャネルが１つの物理アンテナからの単一（ｓｉｎｇｌｅ）無線チャネルであるか、あるいは前記アンテナを含む複数の物理アンテナ要素（ｅｌｅｍｅｎｔ）からの合成（ｃｏｍｐｏｓｉｔｅ）チャネルであるかに関係なく、前記受信装置２０にとって前記アンテナに対するチャネル推定を可能にする。すなわち、アンテナは、前記アンテナ上のシンボルを伝達するチャネルが前記同一アンテナ上の他のシンボルが伝達される前記チャネルから導出できるように定義されることができる。複数のアンテナを利用してデータを送受信する空間多重化（Ｍｕｌｔｉ−Ｉｎｐｕｔ  Ｍｕｌｔｉ−Ｏｕｔｐｕｔ：ＭＩＭＯ）機能をサポートするトランシーバの場合には２つ以上のアンテナと接続されることができる。
【０１７０】
図１５は、送信装置１０内の信号処理モジュール構造の一例を示す図である。ここで、信号処理は、図１４のプロセッサ１１などの基地局／端末のプロセッサで行われることができる。
【０１７１】
図１５に示すように、端末又は基地局内の送信装置１０は、スクランブラ３０１、モジュレータ３０２、レイヤマッパ３０３、アンテナポートマッパ３０４、リソースブロックマッパ３０５、信号生成器３０６を含むことができる。
【０１７２】
送信装置１０は、１つ以上のコードワード（ｃｏｄｅｗｏｒｄ）を送信することができる。各コードワード内の符号化されたビット（ｃｏｄｅｄ  ｂｉｔｓ）は、それぞれスクランブラ３０１によりスクランブルされて物理チャネル上で送信される。コードワードは、データ列と呼ばれてもよく、ＭＡＣ層が提供するデータブロックである送信ブロックと等価であり得る。
【０１７３】
スクランブルされたビットは、モジュレータ３０２により複素変調シンボル（Ｃｏｍｐｌｅｘ−ｖａｌｕｅｄ  ｍｏｄｕｌａｔｉｏｎ  ｓｙｍｂｏｌｓ）に変調される。モジュレータ３０２は、前記スクランブルされたビットを変調方式によって変調して信号星座（ｓｉｇｎａｌ ｃｏｎｓｔｅｌｌａｔｉｏｎ）上の位置を表現する複素変調シンボルとして配置することができる。変調方式（ｍｏｄｕｌａｔｉｏｎ  ｓｃｈｅｍｅ）には制限がなく、ｍ−ＰＳＫ（ｍ−Ｐｈａｓｅ  Ｓｈｉｆｔ  Ｋｅｙｉｎｇ）又はｍ−ＱＡＭ（ｍ−Ｑｕａｄｒａｔｕｒｅ  Ａｍｐｌｉｔｕｄｅ  Ｍｏｄｕｌａｔｉｏｎ）などが前記符号化されたデータの変調に利用できる。モジュレータは、モジュレーション マッパ（ｍｏｄｕｌａｔｉｏｎ  ｍａｐｐｅｒ）と呼ばれてもよい。
【０１７４】
前記複素変調シンボルは、レイヤマッパ３０３により１つ以上の送信レイヤにマッピングされることができる。各レイヤ上の複素変調シンボルは、アンテナポート上での送信のためにアンテナポートマッパ３０４によりマッピングされることができる。
【０１７５】
リソースブロックマッパ３０５は、各アンテナポートに対する複素変調シンボルを、送信のために割り当てられた仮想リソースブロック（Ｖｉｒｔｕａｌ  Ｒｅｓｏｕｒｃｅ  Ｂｌｏｃｋ）内の適切なリソース要素にマッピングできる。リソースブロックマッパは、前記仮想リソースブロックを適切なマッピング技法（ｍａｐｐｉｎｇ  ｓｃｈｅｍｅ）によって物理リソースブロック（Ｐｈｙｓｉｃａｌ  Ｒｅｓｏｕｒｃｅ  Ｂｌｏｃｋ）にマッピングすることができる。前記リソースブロックマッパ３０５は、前記各アンテナポートに対する複素変調シンボルを適切な副搬送波に割り当て、ユーザによって多重化することができる。
【０１７６】
信号生成器３０６は、前記各アンテナポートに対する複素変調シンボル、すなわち、アンテナ特定シンボルを特定変調方式、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調して、複素時間ドメイン（ｃｏｍｐｌｅｘ−ｖａｌｕｅｄ ｔｉｍｅ  ｄｏｍａｉｎ）ＯＦＤＭシンボル信号を生成することができる。信号生成器は、アンテナ特定シンボルに対してＩＦＦＴ（Ｉｎｖｅｒｓｅ Ｆａｓｔ Ｆｏｕｒｉｅｒ Ｔｒａｎｓｆｏｒｍ）を行うことができ、ＩＦＦＴが行われた時間ドメインシンボルにはＣＰ（Ｃｙｃｌｉｃ  Ｐｒｅｆｉｘ）が挿入されることができる。ＯＦＤＭシンボルは、デジタル−アナログ（ｄｉｇｉｔａｌ−ｔｏ−ａｎａｌｏｇ）変換、周波数アップコンバートなどを経て、各送信アンテナを介して受信装置に送信される。信号生成器は、ＩＦＦＴモジュール及びＣＰ挿入器、ＤＡＣ（Ｄｉｇｉｔａｌ−ｔｏ−Ａｎａｌｏｇ  Ｃｏｎｖｅｒｔｅｒ）、周波数アップコンバータ（ｆｒｅｑｕｅｎｃｙ  ｕｐｌｉｎｋ  ｃｏｎｖｅｒｔｅｒ）などを含むことができる。
【０１７７】
図１６は、送信装置１０内の信号処理モジュール構造の他の例を示す図である。ここで、信号処理は、図１４のプロセッサ１１など、端末／基地局のプロセッサにおいて行われることができる。
【０１７８】
図１６に示すように、端末又は基地局内の送信装置１０は、スクランブラ４０１、モジュレータ４０２、レイヤマッパ４０３、プリコーダ４０４、リソースブロックマッパ４０５、信号生成器４０６を含む。
【０１７９】
送信装置１０は、１つのコードワードに対して、コードワード内の符号化されたビット（ｃｏｄｅｄ  ｂｉｔｓ）をスクランブラ４０１によりスクランブルした後、物理チャネルを介して送信することができる。
【０１８０】
スクランブルされたビットは、モジュレータ４０２により複素変調シンボルに変調される。前記モジュレータは、前記スクランブルされたビットを既に決定の変調方式によって変調して信号星座（signal constellation）上の位置を表現する複素変調シンボルとして配置することができる。変調方式（ｍｏｄｕｌａｔｉｏｎ  ｓｃｈｅｍｅ）には制限がなく、ｐｉ／２−ＢＰＳＫ（ｐｉ／２−Ｂｉｎａｒｙ  Ｐｈａｓｅ  Ｓｈｉｆｔ  Ｋｅｙｉｎｇ）、ｍ−ＰＳＫ（ｍ−Ｐｈａｓｅ  Ｓｈｉｆｔ  Ｋｅｙｉｎｇ）又はｍ−ＱＡＭ（ｍ−Ｑｕａｄｒａｔｕｒｅ  Ａｍｐｌｉｔｕｄｅ  Ｍｏｄｕｌａｔｉｏｎ）などが前記符号化されたデータの変調に利用できる。
【０１８１】
前記複素変調シンボルは、前記レイヤマッパ４０３により１つ以上の送信レイヤにマッピングされる。
【０１８２】
各レイヤ上の複素変調シンボルは、アンテナのポート上での送信のためにプリコーダ４０４によりプリコーディングされることができる。ここで、プリコーダは、複素変調シンボルに対するトランスフォームプリコーディング（ｔｒａｎｓｆｏｒｍ  ｐｒｅｃｏｄｉｎｇ）を行った後にプリコーディングを行うこともできる。または、プリコーダは、トランスフォームプリコーディングを行わずにプリコーディングを行うこともできる。プリコーダ４０４は、前記複素変調シンボルを多重送信アンテナによるＭＩＭＯ方式で処理してアンテナ特定シンボルを出力し、前記アンテナ特定シンボルを該当リソースブロックマッパ４０５に分配することができる。プリコーダ４０４の出力ｚは、レイヤマッパ４０３の出力ｙをＮ×Ｍのプリコーディング行列Ｗと乗じて得られる。ここで、Ｎはアンテナポートの数、Ｍはレイヤの数である。
【０１８３】
リソースブロックマッパ４０５は、各アンテナポートに対する複素変調シンボルを、送信のために割り当てられた仮想リソースブロック内にある適切なリソース要素にマッピングする。
【０１８４】
リソースブロックマッパ４０５は、複素変調シンボルを適切な副搬送波に割り当て、ユーザによって多重化することができる。
【０１８５】
信号生成器４０６は、複素変調シンボルを特定変調方式、例えば、ＯＦＤＭ方式で変調して複素時間ドメイン（ｃｏｍｐｌｅｘ−ｖａｌｕｅｄ  ｔｉｍｅ  ｄｏｍａｉｎ）ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル信号を生成することができる。信号生成器４０６は、アンテナ特定シンボルに対してＩＦＦＴ（Ｉｎｖｅｒｓｅ  Ｆａｓｔ  Ｆｏｕｒｉｅｒ  Ｔｒａｎｓｆｏｒｍ）を行うことができ、ＩＦＦＴが行われた時間ドメインシンボルにはＣＰ（Ｃｙｃｌｉｃ  Ｐｒｅｆｉｘ）が挿入されることができる。ＯＦＤＭシンボルは、デジタル−アナログ（ｄｉｇｉｔａｌ−ｔｏ−ａｎａｌｏｇ）変換、周波数アップコンバートなどを経て、各送信アンテナを介して受信装置に送信される。信号生成器４０６は、ＩＦＦＴモジュール及びＣＰ挿入器、ＤＡＣ（Ｄｉｇｉｔａｌ−ｔｏ−Ａｎａｌｏｇ  Ｃｏｎｖｅｒｔｅｒ）、周波数アップコンバータ（ｆｒｅｑｕｅｎｃｙ  ｕｐｌｉｎｋ  ｃｏｎｖｅｒｔｅｒ）などを含むことができる。
【０１８６】
受信装置２０の信号処理過程は、送信機の信号処理過程の逆で構成されることができる。具体的に、送信装置１０のプロセッサ２１は、外部からトランシーバ２３のアンテナポート（ら）を介して受信された無線信号に対する復号（ｄｅｃｏｄｉｎｇ）及び復調（ｄｅｍｏｄｕｌａｔｉｏｎ）を行う。前記受信装置２０は、複数の多重受信アンテナを含んでもよく、受信アンテナを介して受信された信号のそれぞれはベースバンド信号に復元された後、多重化及びＭＩＭＯ復調化を経て送信装置１０が本来送信しようとしたデータ列に復元される。受信装置２０は、受信された信号をベースバンド信号に復元するための信号復元器、受信処理された信号を結合して多重化する多重化器、多重化された信号列を該当コードワードに復調するチャネル復調器を含むことができる。前記信号復元器及び多重化器、チャネル復調器は、これらの機能を行う統合された１つのモジュール又はそれぞれの独立したモジュールで構成されることができる。より具体的に、前記信号復元器は、アナログ信号をデジタル信号に変換するＡＤＣ（ａｎａｌｏｇ−ｔｏ−ｄｉｇｉｔａｌ  ｃｏｎｖｅｒｔｅｒ）、前記デジタル信号からＣＰを除去するＣＰ除去器、ＣＰが除去された信号にＦＦＴ（ｆａｓｔ  Ｆｏｕｒｉｅｒ  ｔｒａｎｓｆｏｒｍ）を適用して周波数ドメインシンボルを出力するＦＦＴモジュール、前記周波数ドメインシンボルをアンテナ特定シンボルに復元するリソース要素デマッパ（ｒｅｓｏｕｒｃｅ  ｅｌｅｍｅｎｔ  ｄｅｍａｐｐｅｒ）／等化器（ｅｑｕａｌｉｚｅｒ）を含むことができる。前記アンテナ特定シンボルは、多重化器により送信レイヤに復元され、前記送信レイヤは、チャネル復調器により送信装置が送信しようとしたコードワードに復元される。
【０１８７】
図１７は、本発明の実現例による無線通信装置の一例を示す図である。
【０１８８】
図１７に示すように、無線通信装置、例えば、端末は、デジタル信号プロセッサ（Ｄｉｇｉｔａｌ  Ｓｉｇｎａｌ  Ｐｒｏｃｅｓｓｏｒ：ＤＳＰ）又はマイクロプロセッサなどのプロセッサ２３１０、トランシーバ２３３５、電力管理モジュール２３０５、アンテナ２３４０、バッテリ２３５５、ディスプレイ２３１５、キーパッド２３２０、ＧＰＳ（Ｇｌｏｂａｌ  Ｐｏｓｉｔｉｏｎｉｎｇ  Ｓｙｓｔｅｍ）チップ２３６０、センサ２３６５、メモリ２３３０、ＳＩＭ（Ｓｕｂｓｃｒｉｂｅｒ  Ｉｄｅｎｔｉｆｉｃａｔｉｏｎ  Ｍｏｄｕｌｅ）カード２３２５、スピーカ２３４５、マイクロホン２３５０のうち少なくとも１つを含むことができる。前記アンテナ及びプロセッサは、複数であり得る。
【０１８９】
プロセッサ２３１０は、本明細書で説明した機能、手順、方法を実現することができる。図１７のプロセッサ２３１０は、図１４のプロセッサ１１、２１であり得る。
【０１９０】
メモリ２３３０は、プロセッサ２３１０と接続されて、プロセッサの動作に関する情報を格納する。メモリは、プロセッサの内部又は外部に位置し、有線接続又は無線接続のような多様な技術によりプロセッサと接続されることができる。図１７のメモリ２３３０は、図１４のメモリ１２、２２であり得る。
【０１９１】
ユーザは、キーパッド２３２０のボタンを押すか、マイクロフォン２３５０を利用して音を活性化させるなど、多様な技術を利用して電話番号などの様々な種類の情報を入力することができる。プロセッサ２３１０は、ユーザの情報を受信してプロセシングし、入力された電話番号に電話をかけるなど、適切な機能を行うことができる。一部のシナリオにおいては、データが適切な機能を実行するためにＳＩＭカード２３２５又はメモリ２３３０から検索されることができる。一部のシナリオにおいては、プロセッサ２３１０は、ユーザの便宜のために、ディスプレイ２３１５に様々な種類の情報とデータを表示することができる。
【０１９２】
トランシーバ２３３５は、プロセッサ２３１０と接続されて、ＲＦ（Ｒａｄｉｏ  Ｆｒｅｑｕｅｎｃｙ）信号のような無線信号を送信及び／又は受信する。プロセッサは、通信を開始するか、音声通信データなどの様々な種類の情報又はデータを含む無線信号を送信するためにトランシーバを制御することができる。トランシーバは、無線信号の送信及び受信のために送信機及び受信機を含む。アンテナ２３４０は、無線信号の送信及び受信を容易にすることができる。一部の実現例においては、トランシーバは、無線信号を受信すると、プロセッサによる処理のために信号をベースバンド周波数にフォワーディングして変換することができる。処理された信号は、スピーカ２３４５を介して出力されるように可聴又は読み取り可能な情報に変換されるなど、多様な技術により処理されることができる。図１７のトランシーバは、図１４のトランシーバー１３、２３であり得る。
【０１９３】
図１７に示してはいないが、カメラ、ＵＳＢ（Ｕｎｉｖｅｒｓａｌ  Ｓｅｒｉａｌ  Ｂｕｓ）ポートなどの多様な構成要素が端末に追加的に含まれることができる。例えば、カメラは、プロセッサ２３１０と接続されてもよい。
【０１９４】
図１７は、端末に対する１つの実現例に過ぎず、実現例はこれに制限されない。端末は、図１７の全ての要素を必須的に含めなければならないことではない。すなわち、一部の構成要素、例えば、キーパッド２３２０、ＧＰＳ（Ｇｌｏｂａｌ  Ｐｏｓｉｔｉｏｎｉｎｇ  Ｓｙｓｔｅｍ）チップ２３６０、センサ２３６５、ＳＩＭカード２３２５などは、必須的な要素ではないこともあり、この場合、端末に含まれないこともある。
【０１９５】
図１８は、本発明の一実施形態によるＨＡＲＱの動作方法を示す。
【０１９６】
図１８に示すように、端末は、基地局（又は、ネットワーク）からＰＤＳＣＨをスケジューリングする第１ＤＣＩを受信／検出する（Ｓ１０１０）。
【０１９７】
端末は、前記第１ＤＣＩを検出した時間と前記第１ＤＣＩと関連したＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）を送信する時間との間でプライマリセルのアップリンク帯域幅部分を変更したか否かを判断する（Ｓ１０２０）。
【０１９８】
端末は、前記時間区間において前記プライマリセルのアップリンク帯域幅部分が変更された場合、前記第１ＤＣＩにより指示されたＰＵＣＣＨリソースを利用したＡＣＫ／ＮＡＣＫ送信を行わないことがあり、前記時間区間において前記プライマリセルのアップリンク帯域幅部分が変更されないと、前記第１ＤＣＩにより指示されたＰＵＣＣＨリソースを利用したＡＣＫ／ＮＡＣＫ送信を行うことができる（Ｓ１０３０）。
【０１９９】
ＮＲのような次期システムにおけるペアリングされたスペクトル（Ｐａｉｒｅｄ  ｓｐｅｃｔｒｕｍ）に対してＤＣＩスケジューリングＰＤＳＣＨ（ＰＤＳＣＨをスケジューリングするＤＣＩ）が受信（検出）された時点と、これに対応するＨＡＲＱ−ＡＣＫフィードバックが送信される時点との間で端末がＵＬ  ＢＷＰを変更する場合には、端末がＨＡＲＱ−ＡＣＫフィードバック送信を期待しないことがある。すなわち、ＰＤＳＣＨをスケジューリングするＤＣＩは、前記ＰＤＳＣＨに対するＡＣＫ／ＮＡＣＫ（ＨＡＲＱ−ＡＣＫフィードバック）を送信するリソース（例えば、ＰＵＣＣＨリソース）も知らせることができるが、前記ＤＣＩによりスケジューリングされたＰＤＳＣＨに対するＡＣＫ／ＮＡＣＫを送信するＰＵＣＣＨリソースが存在すると仮定したＵＬ  ＢＷＰ（例えば、第１ＵＬ  ＢＷＰ）とＨＡＲＱ−ＡＣＫフィードバックを送信する実際のＵＬ  ＢＷＰ（例えば、第２ＵＬ  ＢＷＰ）が前記ＵＬ  ＢＷＰの変更により変わることにより、前記ＤＣＩのスケジューリング情報が適合しない可能性があるため、前記ＤＣＩが受信（検出）なった時点と、これに対応される前記ＨＡＲＱ−ＡＣＫフィードバックが送信される時点との間で端末がＵＬ  ＢＷＰを変更する場合には、端末はＨＡＲＱ−ＡＣＫフィードバック送信を行わないことがある。
【０２００】
より具体的に、端末は、ＨＡＲＱ−ＡＣＫフィードバック送信をしないことは、ＰＣｅｌｌ（プライマリセル）又はＰＵＣＣＨを送信するセルでのＵＬ  ＢＷＰが、ＰＤＳＣＨをスケジューリングするＤＣＩが受信（検出）された時点と、これに対応するＨＡＲＱ−ＡＣＫフィードバックが送信される時点との間で端末がＵＬ  ＢＷＰを変更する場合にのみ限定することもできる。それに対して、ＳＣｅｌｌからＤＣＩスケジューリングＰＤＳＣＨ（ＰＤＳＣＨをスケジューリングするＤＣＩ）受信（検出）時点とそれに対応するＨＡＲＱ−ＡＣＫフィードバック送信時点との間でＳＣｅｌｌのＵＬ  ＢＷＰが変更されても、ＰＵＣＣＨ送信に対応するＵＬ  ＢＷＰが変更されない場合には、依然として、端末はＨＡＲＱ−ＡＣＫフィードバックを送信することができる。
【０２０１】
図１９は、動的ＢＷＰスイッチングのとき、基地局と端末の動作方法を例示する。
【０２０２】
図１９に示すように、端末は、帯域幅部分（ｂａｎｄｗｉｄｔｈ  ｐａｒｔ：ＢＷＰ）情報（例えば、ｂａｎｄｗｉｄｔｈ  ｐａｒｔ  ｉｎｄｉｃａｔｏｒ）を含むダウンリンク制御情報（ｄｏｗｎｌｉｎｋ  ｃｏｎｔｒｏｌ  ｉｎｆｏｒｍａｔｉｏｎ：ＤＣＩ）を受信する（Ｓ２０００）。前記ＤＣＩは、例えば、ＤＣＩフォーマット０＿１又はＤＣＩフォーマット１＿１であり、ＰＤＣＣＨを介して受信できる。
【０２０３】
端末は、前記ＤＣＩに基づいて帯域幅部分（ｂａｎｄｗｉｄｔｈ  ｐａｒｔ：ＢＷＰ）の変更を検出することができる（Ｓ２０１０）。すなわち、端末は、帯域幅部分（ｂａｎｄｗｉｄｔｈ  ｐａｒｔ：ＢＷＰ）の変更を指示する（知らせる）のダウンリンク制御情報（ｄｏｗｎｌｉｎｋ  ｃｏｎｔｒｏｌ  ｉｎｆｏｒｍａｔｉｏｎ：ＤＣＩ）を検出する。例えば、端末は、前記ＤＣＩに含まれた帯域幅部分インジケータ（ｂａｎｄｗｉｄｔｈ  ｐａｒｔ  ｉｎｄｉｃａｔｏｒ）に基づいて帯域幅部分の変更が分かる。例えば、前記帯域幅部分インジケータが、現在活性化された帯域幅部分ではない他の帯域幅部分を指示して帯域幅部分を変更することを知らせることができる。
【０２０４】
端末は、前記ＤＣＩに基づいて第１帯域幅部分から第２帯域幅部分に帯域幅部分を変更する（Ｓ２０２０）。このとき、第２帯域幅部分の適用時期が問題となるが、これに対しては詳細に前述している。便宜上、もう一度説明すると、端末は、前記ＰＤＣＣＨを受信したスロットの特定シンボル（例えば、３番目のシンボル）から前記ＤＣＩに含まれた時間領域リソース割り当てフィールドのスロットオフセット値により指示されるスロットの開始までの時間区間（ｔｉｍｅ  ｄｕｒａｔｉｏｎ）１２１において信号の受信／送信をしないことがある（信号の受信／送信が要求されないことがある）。すなわち、端末は、前記ＤＣＩによりスケジューリングされるＰＤＳＣＨを受信するスロットの開始から前記第２帯域幅を適用すると解釈することができる。
【０２０５】
前記方法は、図１４ないし図１７の装置の少なくとも１つにより行われることができる。
【図１】
2020526988.tif 000009
【図２】
2020526988.tif 000010
【図３】
2020526988.tif 000011
【図４】
2020526988.tif 000012
【図５】
2020526988.tif 000013
【図６】
2020526988.tif 000014
【図７】
2020526988.tif 000015
【図８】
2020526988.tif 000016
【図９】
2020526988.tif 000017
【図１０】
2020526988.tif 000018
【図１１】
2020526988.tif 000019
【図１２】
2020526988.tif 000020
【図１３】
2020526988.tif 000021
【図１４】
2020526988.tif 000022
【図１５】
2020526988.tif 000023
【図１６】
2020526988.tif 000024
【図１７】
2020526988.tif 000025
【図１８】
2020526988.tif 000026
【図１９】
2020526988.tif 000027
【国際調査報告】
2020526988.tif 000028
2020526988.tif 000029
2020526988.tif 000030
2020526988.tif 000031